(57)【要約】【課題】印刷品質が低下する可能性を低減する印刷装置を提供する。【解決手段】印刷装置１Ａにおけるサブパウチ８は、メインタンク６５からのインク６８が供給され、供給されたインク６８を収容する。ヘッド部６７は、サブパウチ８から供給されたインク６８を吐出する。第一供給流路７１１は、メインタンク６５からサブパウチ８にインク６８を供給する。第一循環流路７２１は、サブパウチ８からメインタンク６５にインク６８を循環させる。第二供給流路７１２は、サブパウチ８からヘッド部６７にインク６８を供給する。第二循環流路７２２は、ヘッド部６７からサブパウチ８にインク６８を循環させる。第一供給流路７１１と第二供給流路７１２とは、第一接続部７９１において合流する。第一循環流路７２１と第二循環流路７２２とは、第二接続部７９２において合流する。【選択図】図２
2018167556.tif 000002
【特許請求の範囲】
【請求項１】
インクを収容する第一収容部からの前記インクが供給され、供給された前記インクを収容する第二収容部と、
前記第二収容部から供給された前記インクを吐出するヘッド部と、
前記第一収容部から前記第二収容部に前記インクを供給する流路である第一供給流路と、
前記第二収容部から前記第一収容部に前記インクを循環させる第一循環流路と、
前記第二収容部から前記ヘッド部に前記インクを供給する第二供給流路と、
前記ヘッド部から前記第二収容部に前記インクを循環させる第二循環流路と
を備え、
前記第二供給流路及び前記第二循環流路の一方と、前記第一供給流路とは、第一接続部又は前記第二収容部において合流し、
前記第二供給流路及び前記第二循環流路との他方と、前記第一循環流路とは、第二接続部又は前記第二収容部において合流することを特徴とする印刷装置。
【請求項２】
前記第一供給流路と前記第一循環流路とを結ぶ流路である第一バイパス流路を備えたことを特徴とする請求項１に記載の印刷装置。
【請求項３】
前記第二供給流路と前記第二循環流路とを結ぶ第二バイパス流路を備えたことを特徴とする請求項１又は２に記載の印刷装置。
【請求項４】
前記第二供給流路と前記第二循環流路とに夫々設けられ、前記第二供給流路と前記第二循環流路とを開閉する第一開閉部を備え、
前記第一開閉部は、前記第一収容部と前記第二収容部との少なくとも一方における前記インクの循環が行われる場合に、前記第二供給流路と前記第二循環流路とを閉じることを特徴とする請求項１から３のいずれかに記載の印刷装置。
【請求項５】
前記第一供給流路と前記第一循環流路とに夫々設けられ、前記第一供給流路と前記第一循環流路とを開閉する第二開閉部を備え、
前記第二開閉部は、前記第二供給流路と前記第二循環流路とにおける前記インクの循環が行われる場合に、前記第一供給流路と前記第一循環流路とを閉じることを特徴とする請求項１から４のいずれかに記載の印刷装置。
【発明の詳細な説明】
【技術分野】
【０００１】
本発明は、インクを循環させる印刷装置に関する。
【背景技術】
【０００２】
従来、インクの成分の沈降を抑制したり、インクの気泡を除去したりするために、インクを循環させる印刷装置が知られている。例えば、特許文献１に記載の印刷装置においては、メインタンクの底部のインクが、第２インク供給路、第１インク供給路、インク循環路の順に循環する。
【先行技術文献】
【特許文献】
【０００３】
【特許文献１】特開２００７−２１６４４２号公報
【発明の概要】
【発明が解決しようとする課題】
【０００４】
しかしながら、前記従来の印刷装置においては、サブパウチとメインタンクとの間に、インクの循環が行われない流路が存在した。このため、インクの循環が行われない流路においてインクの成分が沈降し、印刷品質が低下する可能性があった。
【０００５】
本発明の目的は、印刷品質が低下する可能性を低減する印刷装置を提供することである。
【課題を解決するための手段】
【０００６】
本発明に係る印刷装置は、インクを収容する第一収容部からの前記インクが供給され、供給された前記インクを収容する第二収容部と、前記第二収容部から供給された前記インクを吐出するヘッド部と、前記第一収容部から前記第二収容部に前記インクを供給する流路である第一供給流路と、前記第二収容部から前記第一収容部に前記インクを循環させる第一循環流路と、前記第二収容部から前記ヘッド部に前記インクを供給する第二供給流路と、前記ヘッド部から前記第二収容部に前記インクを循環させる第二循環流路とを備え、前記第二供給流路及び前記第二循環流路の一方と、前記第一供給流路とは、第一接続部又は前記第二収容部において合流し、前記第二供給流路及び前記第二循環流路との他方と、前記第一循環流路とは、第二接続部又は前記第二収容部において合流する。
【０００７】
この場合、第二供給流路及び第二循環流路の一方と、第一供給流路とは、第一接続部又は第二収容部において合流する。また、第二供給流路及び第二循環流路との他方と、第一循環流路とは、第二接続部又は第二収容部において合流する。このように流路が接続されているので、印刷装置は、第一供給流路、第二供給流路、第一循環流路、及び第二循環流路のうちの全ての流路においてインクの循環を行うことができる。よって、第一供給流路、第二供給流路、第一循環流路、及び第二循環流路のうち、一部の流路においてインクの循環が行われない場合に比べて、インクの成分の沈降によって印刷品質が低下する可能性を低減できる。
【図面の簡単な説明】
【０００８】
【図１】印刷装置１の斜視図である。
【図２】印刷装置１Ａにおけるインク６８の流路を示す図である。
【図３】印刷装置１Ａにおいてサブパウチ充填が行われる状態を示す図である。
【図４】印刷装置１Ａにおいて印刷動作が行われる状態を示す図である。
【図５】印刷装置１Ａにおいてパウチ−タンク間循環が行われる状態を示す図である。
【図６】印刷装置１Ａにおいてヘッド−タンク間循環が行われる状態を示す図である。
【図７】印刷装置１Ｂにおけるインク６８の流路を示す図である。
【図８】印刷装置１Ｂにおいてサブパウチ充填が行われる状態を示す図である。
【図９】印刷装置１Ｂにおいて印刷動作が行われる状態を示す図である。
【図１０】印刷装置１Ｂにおいてパウチ−タンク間循環が行われる状態を示す図である。
【図１１】印刷装置１Ｂにおいて第一ヘッド−タンク間循環が行われる状態を示す図である。
【図１２】印刷装置１Ｃにおけるインク６８の流路を示す図である。
【図１３】印刷装置１Ｃにおいてパウチ−バイパス間循環が行われる状態を示す図である。
【図１４】印刷装置１Ｃにおいてヘッド−バイパス間循環が行われる状態を示す図である。
【図１５】印刷装置１Ｄにおけるインク６８の流路を示す図である。
【図１６】印刷装置１Ｄにおいて第一パウチ−バイパス間循環が行われる状態を示す図である。
【図１７】印刷装置１Ｄにおいて第一ヘッド−バイパス間循環が行われる状態を示す第一の図である。
【図１８】印刷装置１Ｅにおけるインク６８の流路を示す図である。
【図１９】印刷装置１Ｅにおいてチューブ循環が行われる状態を示す図である。
【図２０】印刷装置１Ｅにおいてタンク−バイパス間循環が行われる状態を示す図である。
【図２１】印刷装置１Ｆにおけるインク６８の流路を示す図である。
【図２２】印刷装置１Ｆにおいて第一チューブ循環が行われる状態を示す図である。
【図２３】印刷装置１Ｆにおいてタンク−バイパス間循環が行われる状態を示す図である。
【図２４】印刷装置１Ｇにおけるインク６８の流路を示す図である。
【図２５】印刷装置１Ｇにおいてバイパス循環が行われる状態を示す図である。
【図２６】印刷装置１Ｈにおけるインク６８の流路を示す図である。
【図２７】印刷装置１Ｈにおいてバイパス循環が行われる状態を示す第一の図である。
【図２８】印刷装置１Ｉにおけるインク６８の流路を示す図である。
【図２９】印刷装置１Ｊにおいてヘッド−バイパス間循環が行われる状態を示す図である。
【発明を実施するための形態】
【０００９】
以下、本発明を具現化した印刷装置１について、図面を参照して説明する。図１を参照し、印刷装置１の概要について説明する。図１の上方、下方、左下方、右上方、右下方、及び左上方が、各々、印刷装置１の上方、下方、前方、後方、右方、及び左方である。
【００１０】
印刷装置１は、Ｔシャツ等の布帛、紙等の印刷媒体に、インク６８（図２参照）をヘッド部６７（図２参照）のノズルから吐出して印刷を行うインクジェットプリンタである。印刷装置１は、例えば、互いに異なる５種のインク６８（ホワイト（Ｗ）、ブラック（Ｋ）、イエロー（Ｙ）、シアン（Ｃ）、及びマゼンタ（Ｍ））を下方へ向けて吐出することで、印刷媒体にカラー画像を印刷する。以下の説明では、５種のインク６８のうち、ホワイトのインク６８を白インクといい、ブラック、シアン、イエロー、及びマゼンタの４色のインク６８を総称する場合はカラーインクという。白インクは、カラーインクよりも沈降性の高いインクである。
【００１１】
図１に示すように、印刷装置１は、筐体２、プラテン駆動機構６、一対のガイドレール（図示せず）、プラテン５、トレイ４、枠体１０、ガイドシャフト９、レール７、キャリッジ２０、ヘッドユニット１００，２００、駆動ベルト１０１、及び駆動モータ１９を備える。
【００１２】
筐体２の右側前方の位置には、印刷装置１の操作を行うための操作部（図示せず）が設けられている。操作部は、作業者が印刷装置１の各種動作に関する指示を入力する際に操作される。
【００１３】
枠体１０は、平面視略長方形状の枠状であり、筐体２の上部に設置される。枠体１０は、前方側にガイドシャフト９を、後方側にレール７を夫々支持する。ガイドシャフト９は、枠体１０内側において左右方向に延びる。レール７は、ガイドシャフト９に対向して配置され、左右方向に延びる。
【００１４】
キャリッジ２０は、ガイドシャフト９に沿って左右方向に搬送可能に支持されている。ヘッドユニット１００，２００は、前後方向に並べられてキャリッジ２０に搭載されている。ヘッドユニット１００は、ヘッドユニット２００よりも後方に位置する。ヘッドユニット１００，２００は、夫々、ヘッド部６７（図２参照）を下部に備える。ヘッドユニット１００のヘッド部６７は、白インクを吐出する。ヘッドユニット２００のヘッド部６７は、カラーインクを吐出する。ヘッド部６７は、インク６８を下方に吐出可能な微細なノズル（図示せず）を複数有する面を備えている。
【００１５】
図２に示すように、ヘッドユニット１００のヘッド部６７は、白インクを収容するメインタンク６５に接続されている。ヘッドユニット２００のヘッド部６７は、カラーインクを夫々の色に対応して収容するメインタンク６５に接続されている。
【００１６】
図１に示すように、駆動ベルト１０１は、枠体１０の内側において、左右方向に沿って架け渡される。駆動モータ１９は、駆動ベルト１０１を介して、キャリッジ２０と連結されている。駆動モータ１９が駆動ベルト１０１を駆動することにより、ガイドシャフト９に沿ってキャリッジ２０が左右方向に往復移動される。
【００１７】
プラテン駆動機構６は、一対のガイドレール（図示せず）及びプラテン支持台（図示せず）を備える。一対のガイドレールは、プラテン駆動機構６の内側を前後方向に延び、プラテン支持台を前後方向に移動可能に支持する。プラテン支持台は、上部においてプラテン５を支持する。プラテン５は、印刷媒体を支持する。
【００１８】
プラテン５の下方には、トレイ４が設けられている。トレイ４は、作業者がＴシャツ等をプラテン５に載置する際に、Ｔシャツのそで等を受けることで、このそで等が筐体２内部の他の部品に接触しないように保護する。
【００１９】
プラテン駆動機構６は、副走査駆動部（図示せず）によって駆動され、プラテン支持台及びプラテン５を、一対のガイドレールに沿って、前後方向に移動する。プラテン５が、印刷媒体を前後方向（副走査方向）に搬送し、左右方向（主走査方向）に往復移動するヘッド部６７からインク６８が吐出されることで、印刷装置１による印刷媒体への印刷が行われる。
【００２０】
図２〜図６を参照して、第一の実施形態における印刷装置１の一例である印刷装置１Ａについて説明する。図２は、１色のインク６８を流す流路の一例を示している。他の４色のインク６８を流す流路も図２と同様である。
【００２１】
図２に示すように、印刷装置１Ａは、ＣＰＵ７０、残量センサ６６１、残量センサ８９９、モータ６６２、回転部６６３、ヘッド部６７、及びインク供給部７００を備えている。また、印刷装置１Ａには、メインタンク６５が接続されている。ＣＰＵ７０は、プログラムに従って、印刷装置１Ａの制御を行う。メインタンク６５は、インク６８を収容する。メインタンク６５の収容可能量は、サブパウチ８（後述）の収容可能量より多い。
【００２２】
メインタンク６５は、容器部６５１と蓋６５２とを備えている。容器部６５１は、インク６８を収容する部材である。容器部６５１の上部には、開口部である容器開口部が設けられている。容器開口部は、蓋６５２によって閉じられている。容器部６５１の上部には、開口部である蓋開口部が設けられている。蓋開口部は蓋６５３によって閉じられている。メインタンク６５にインク６８が補充される場合、蓋６５３が開けられ、蓋開口部からインク６８が容器部６５１内に供給される。
【００２３】
メインタンク６５には、残量センサ６６１が装着されている。残量センサ６６１は、メインタンク６５に収容されたインク６８の残量を示す信号をＣＰＵ７０に出力する。ＣＰＵ７０は、残量センサ６６１によって出力された信号に基づき、メインタンク６５におけるインク６８の残量を検出する。残量センサ６６１は、蓋６５２を貫通する電極を備えたものでもよいし、容器部６５１の外部に備えられた発光部を有する光学センサでもよい。
【００２４】
容器部６５１の内側には、回転部６６３が設けられている。回転部６６３は、容器部６５１内のインク６８の中に配置可能な位置に設けられている。モータ６６２は、ＣＰＵ７０の制御によって、回転部６６３を回転させる。回転部６６３が回転すると、メインタンク６５に収容されたインク６８が攪拌される。これによって、メインタンク６５においてインク６８の成分が沈降する可能性を低減できる。
【００２５】
インク供給部７００は、インク６８をヘッド部６７に供給するなど、インク６８を流す部位である。インク供給部７００は、第一供給流路７１１、第二供給流路７１２、第一循環流路７２１、第二循環流路７２２、第一接続流路７３１、第二接続流路７３２、サブパウチ８、脱気モジュール６０、ポンプ７５１、及び電磁弁７６１，７６２，７６３，７６４，７６５，７６６、及びフィルタ７７１を備えている。
【００２６】
サブパウチ８は、袋状であり、メインタンク６５から供給されたインク６８を収容する。また、サブパウチ８は、ヘッド部６７にインク６８を供給する。ヘッド部６７は、サブパウチ８から供給されたインク６８を吐出して、印刷対象物に印刷を行う。
【００２７】
サブパウチ８には、残量センサ８９９が装着されている。残量センサ８９９は、サブパウチ８に収容されたインク６８の残量を示す信号をＣＰＵ７０に出力する。ＣＰＵ７０は、残量センサ８９９によって出力された信号に基づき、サブパウチ８におけるインク６８の残量を検出する。残量センサ８９９は、残量センサ６６１と同様の構成を備えればよい。
【００２８】
第一供給流路７１１、第二供給流路７１２、第一循環流路７２１、第二循環流路７２２、第一接続流路７３１、第二接続流路７３２は、例えば、中空状のチューブによって形成されている。
【００２９】
第一供給流路７１１は、メインタンク６５とサブパウチ８とに接続し、メインタンク６５からサブパウチ８にインク６８を供給する流路である。第一供給流路７１１におけるメインタンク６５側の端部７１１０は、メインタンク６５に収容されたインク６８の液中に配置可能な位置に設けられている。
【００３０】
第二供給流路７１２は、サブパウチ８とヘッド部６７とに接続し、サブパウチ８からヘッド部６７にインク６８を供給する流路である。第一供給流路７１１と第二供給流路７１２とは、第一接続部７９１において合流する。第一接続流路７３１は、第一接続部７９１とサブパウチ８との間の流路である。すなわち、第一接続流路７３１は、第一供給流路７１１の一部であり、第二供給流路７１２の一部でもある。
【００３１】
第一循環流路７２１は、メインタンク６５とサブパウチ８とに接続し、サブパウチ８からメインタンク６５にインク６８を循環させる流路である。第二循環流路７２２は、ヘッド部６７とサブパウチ８とに接続し、ヘッド部６７からサブパウチ８にインク６８を循環させる流路である。第一循環流路７２１と第二循環流路７２２とは、第二接続部７９２おいて合流する。第二接続流路７３２は、第二接続部７９２とサブパウチ８との間の流路である。すなわち、第二接続流路７３２は、第一循環流路７２１の一部であり、第二循環流路７２２の一部でもある。
【００３２】
電磁弁７６１は、第一供給流路７１１に設けられている。電磁弁７６１は、後述する脱気部６０１よりも、サブパウチ８側に位置している。電磁弁７６１は、ＣＰＵ７０によって制御され、第一供給流路７１１を開閉する。電磁弁７６２は、第一接続流路７３１に設けられている。電磁弁７６２は、ＣＰＵ７０によって制御され、第一接続流路７３１を開閉する。電磁弁７６３は、第二供給流路７１２に設けられている。電磁弁７６３は、ＣＰＵ７０によって制御され、第二供給流路７１２を開閉する。
【００３３】
電磁弁７６４は、第一循環流路７２１に設けられている。電磁弁７６４は、ＣＰＵ７０によって制御され、第一循環流路７２１を開閉する。電磁弁７６５は、第二接続流路７３２に設けられている。電磁弁７６５は、ＣＰＵ７０によって制御され、第二接続流路７３２を開閉する。電磁弁７６６は、第二循環流路７２２に設けられている。電磁弁７６６は、ＣＰＵ７０によって制御され、第二循環流路７２２を開閉する。
【００３４】
フィルタ７７１は、第一供給流路７１１に設けられている。フィルタ７７１は、第一供給流路７１１を流れるインク６８に含まれる異物を除去する。
【００３５】
ポンプ７５１は、第一供給流路７１１に設けられている。ポンプ７５１は、フィルタ７７１よりもサブパウチ８側に設けられている。ポンプ７５１は、メインタンク６５からインク６８を吸い上げ、下流側であるサブパウチ８側に流す。
【００３６】
脱気モジュール６０は、第一供給流路７１１に設けられている。脱気モジュール６０は、脱気部６０１、真空フィルタ６０２、減圧ポンプ６０３、電磁弁６０４、吸気フィルタ６０５、経路６０６、経路６０８、及び経路６０９を備えている。脱気部６０１は、第一供給流路７１１に設けられている。脱気部６０１は、ポンプ７５１と電磁弁７６１との間に位置している。真空フィルタ６０２は、経路６０６を介して、脱気部６０１と接続されている。経路６０６は、接続部６０７において経路６０８と接続されている。吸気フィルタ６０５は、経路６０８に接続されている。電磁弁６０４は、経路６０８に設けられている。減圧ポンプ６０３は、経路６０９を介して真空フィルタ６０２に接続されている。
【００３７】
減圧ポンプ６０３は、ＣＰＵ７０の制御によって動作し、真空フィルタ６０２を介して経路６０６を減圧する。これによって、脱気部６０１を流れるインク６８に含まれる気泡が減少する。経路６０６が減圧される場合、電磁弁６０４は、ＣＰＵ７０の制御によって、経路６０８を閉じる。経路６０６を減圧しない場合、電磁弁６０４は、ＣＰＵ７０の制御によって経路６０８を開く。経路６０８が開かれると、吸気フィルタ６０５及び経路６０６を介して、外気が経路６０６に供給される。これによって、経路６０６の減圧状態が解消される。吸気フィルタ６０５は、経路６０８側に流れる外気から異物を除去する。以下では、特に言及しないが、インク６８が第一供給流路７１１を流れる場合、脱気モジュール６０によって、第一供給流路７１１を流れるインク６８から気泡が除去されるとする。
【００３８】
以下の説明においては、メインタンク６５、脱気モジュール６０、ポンプ７５１、フィルタ７７１、残量センサ６６１、モータ６６２、及び回転部６６５を含む構成を、タンクシステム６００という場合がある。図３〜図６においては、流路の一部、及び、タンクシステム６００の構成を簡略化して示しているが、流路、及びタンクシステム６００が有する構成は、図２の場合と同様である。また、図３〜図６においてはＣＰＵ７０の図示を省略している。
【００３９】
印刷装置１Ａにおけるインク６８の流れについて説明する。まず、メインタンク６５から、サブパウチ８にインク６８が充填される場合について説明する。以下、メインタンク６５から、サブパウチ８にインク６８が充填される動作を、「サブパウチ充填」という
【００４０】
図３に示すように、サブパウチ充填が行われる場合、ＣＰＵ７０は、電磁弁７６１，７６２を開き、電磁弁７６３，７６４，７６５，７６６を閉じる。ＣＰＵ７０の制御によって、ポンプ７５１が動作する。これによって、メインタンク６５に収容されたインク６８が、第一供給流路７１１を介してサブパウチ８に供給される（矢印４０１参照）。インク６８は、サブパウチ８内に収容される。なお、以下では特に言及しないが、インク６８が流れる流路に存在する電磁弁７６１〜７６６のうち、閉じられる電磁弁には、図面に、電磁弁が閉じられたことを示すマーク９８を記載するものとする。
【００４１】
次に、ヘッド部６７からインク６８を吐出して印刷を行う場合について説明する。以下、ヘッド部６７からインク６８を吐出して印刷を行う動作を、「印刷動作」という。図４に示すように、印刷動作が行われる場合、ＣＰＵ７０は、電磁弁７６２，７６３，７６５，７６６を開き、電磁弁７６１，７６４を閉じる。ＣＰＵ７０の制御によって、ヘッド部６７からインク６８を吐出する動作が行われる。ヘッド部６７からインク６８が吐出されることで、サブパウチ８に収容されたインク６８が、第二供給流路７１２及び第二循環流路７２２を介して、ヘッド部６７に供給される（矢印４０２参照）。
【００４２】
次に、サブパウチ８とメインタンク６５との間におけるインク６８の循環を行う場合について説明する。以下の説明では、サブパウチ８とメインタンク６５との間におけるインク６８の循環を「パウチ−タンク間循環」という。
【００４３】
図５に示すように、パウチ−タンク間循環が行われる場合、ＣＰＵ７０は、電磁弁７６１，７６２，７６４，７６５を開き、電磁弁７６３，７６６を閉じる。ＣＰＵ７０の制御によって、ポンプ７５１が動作する。これによって、インク６８が、メインタンク６５から吸い上げられ、第一供給流路７１１、サブパウチ８、第一循環流路７２１を介して、メインタンク６５に流れる（矢印４０３参照）。これによって、メインタンク６５、第一供給流路７１１、サブパウチ８、及び第一循環流路７２１におけるインク６８の循環が行われる。パウチ−タンク間循環では、ヘッド部６７にインク６８は供給されず、かつヘッド部６７からインク６８が循環されない。
【００４４】
次に、ヘッド部６７及びメインタンク６５を介したインク６８の循環を行う場合について説明する。以下、ヘッド部６７及びメインタンク６５を介したインク６８の循環を、「ヘッド−タンク間循環」という。
【００４５】
図６に示すように、ヘッド−タンク間循環が行われる場合、ＣＰＵ７０は、電磁弁７６１，７６３，７６４，７６６を開き、電磁弁７６２，７６５を閉じる。ＣＰＵ７０の制御によって、ポンプ７５１が動作する。これによって、インク６８が、メインタンク６５から吸い上げられ、第一供給流路７１１、第二供給流路７１２、ヘッド部６７、第二循環流路７２２、及び第一循環流路７２１を介して、メインタンク６５に流れる（矢印４０４参照）。これによって、メインタンク６５、第一供給流路７１１、第二供給流路７１２、ヘッド部６７、第二循環流路７２２、及び第一循環流路７２１におけるインク６８の循環が行われる。
【００４６】
次に、ヘッド部６７とサブパウチ８との間のインク６８の循環を行う場合について説明する。以下、ヘッド部６７とサブパウチ８とのインク６８の循環を「ヘッド−パウチ間循環」という。図示しないが、ヘッド−パウチ間循環が行われる場合、ＣＰＵ７０は、電磁弁７６２，７６３，７６５，７６６を開き、電磁弁７６１，７６４を閉じる。第二供給流路７１２又は第二循環流路７２２に、ポンプ（図示せず）を設ける。ＣＰＵ７０の制御によって、該ポンプが動作する。これによって、サブパウチ８、第二供給流路７１２、ヘッド部６７、及び第二循環流路７２２におけるインク６８の循環が行われる。
【００４７】
以上のように本実施形態における印刷装置１Ａにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、印刷装置１Ａは、パウチ−タンク間循環を実行することにより、メインタンク６５、第一供給流路７１１、サブパウチ８、及び第一循環流路７２１においてインクの循環を行うことができる（図５参照）。また、印刷装置１Ａは、ヘッド−タンク間循環を実行することにより、第一供給流路７１１、第二供給流路７１２、第二循環流路７２２、及び第一循環流路７２１においてインク６８の循環を行うことができる（図６参照）。このため、第一供給流路７１１、第二供給流路７１２、第一循環流路７２１、及び第二循環流路７２２のうちの全ての流路においてインク６８の循環を行うことができる。よって、第一供給流路７１１、第二供給流路７１２、第一循環流路７２１、及び第二循環流路７２２のうち、一部の流路においてインク６８の循環が行われない場合に比べて、インク６８の成分の沈降によって印刷品質が低下する可能性を低減できる。
【００４８】
なお、印刷品質が低下する例としては、以下のものが挙げられる。例えば、インク６８の沈降した成分が、ヘッド部６７に供給されず、印刷の色合いが変わってしまう場合がある。また、沈降した成分が流路を塞いでインク６８が流れにくくなり、ヘッド部６７から吐出されるインク６８の量が少なくなる場合がある。また、ヘッド部６７のノズル内において、沈降した成分によって目詰まりが発生し、ノズルからインク６８が吐出されなくなる場合がある。特に、白インクは、カラーインクより沈降性が高いので、カラーインクに比べて印刷品質が低下する可能性が高くなる。しかし、本実施形態においては、上記の例のように印刷品質が低下する可能性を低減できるのである。
【００４９】
また、第二供給流路７１２には、第二供給流路７１２を開閉する電磁弁７６３が設けられている。第二循環流路７２２には、第二循環流路７２２を開閉する電磁弁７６６が設けられている。電磁弁７６３，７６６は、メインタンク６５とサブパウチ８との少なくとも一方におけるインク６８の循環が行われる場合、本実施形態ではパウチ−タンク間循環が行われる場合に、第二供給流路７１２と第二循環流路７２２とを閉じる（図５参照）。このため、パウチ−タンク間循環が行われる場合に、この循環による圧力の影響でヘッド部６７のノズル内のメニスカスが壊れ、インク６８が漏れるなど、ヘッド部６７に影響を及ぼす可能性を低減できる。よって、印刷品質が向上する。
【００５０】
図７〜図１１を参照し、第二の実施形態に係る印刷装置１である印刷装置１Ｂについて説明する。第二の実施形態において、第一の実施形態と同様の構成は同じ符号で示し、詳細の説明は省略する。
【００５１】
図７に示すように、印刷装置１Ｂにおいては、第二供給流路７１２と第二循環流路７２２とが、夫々、２つの流路に分かれる。より詳細には、第二供給流路７１２は、第三接続部７９３において、第二供給流路７１２Ａと第二供給流路７１２Ｂとに分かれている。第三接続部７９３は、サブパウチ８及び第一接続部７９１よりもヘッド部６７側に位置している。第二供給流路７１２Ａと第二供給流路７１２Ｂとは、夫々、ヘッド部６７に接続されている。
【００５２】
電磁弁７６３は、第二供給流路７１２Ａと第二供給流路７１２Ｂとの夫々に設けられている。以下の説明においては、第二供給流路７１２Ａに設けられた電磁弁７６３を電磁弁７６３Ａという場合があり、第二供給流路７１２Ｂに設けられた電磁弁７６３を電磁弁７６３Ｂという場合がある。
【００５３】
第二循環流路７２２は、第四接続部７９４において、第二循環流路７２２Ａと第二循環流路７２２Ｂとに分かれている。第四接続部７９４は、サブパウチ８及び第二接続部７９２よりもヘッド部６７側に位置している。第二循環流路７２２Ａと第二循環流路７２２Ｂとは、夫々、ヘッド部６７に接続されている。
【００５４】
電磁弁７６６は、第二循環流路７２２Ａと第二循環流路７２２Ｂとの夫々に設けられている。以下の説明においては、第二循環流路７２２Ａに設けられた電磁弁７６６を電磁弁７６６Ａという場合があり、第二循環流路７２２Ｂに設けられた電磁弁７６６を電磁弁７６６Ｂという場合がある。
【００５５】
印刷装置１Ｂにおけるインク６８の流れについて説明する。まず、図８を参照して、サブパウチ充填が行われる場合について説明する。サブパウチ充填が行われる場合、ＣＰＵ７０は、電磁弁７６１，７６２を開き、電磁弁７６３Ａ，７６３Ｂ，７６４，７６５，７６６Ａ，７６６Ｂを閉じる。ＣＰＵ７０の制御によって、ポンプ７５１が動作する。これによって、メインタンク６５に収容されたインク６８が、第一供給流路７１１を介してサブパウチ８に供給される（矢印４１１参照）。インク６８は、サブパウチ８内に収容される。サブパウチ充填では、ヘッド部６７にインク６８は供給されず、かつヘッド部６７からインク６８が循環されない。
【００５６】
印刷動作が行われる場合について説明する。印刷動作を行われる場合、図９に示すように、ＣＰＵ７０は、電磁弁７６２，７６３Ａ，７６３Ｂ，７６５，７６６Ａ，７６６Ｂを開き、電磁弁７６１，７６４を閉じる。ＣＰＵ７０の制御によって、ヘッド部６７からインク６８を吐出する動作が行われる。ヘッド部６７からインク６８が吐出されることで、サブパウチ８に収容されたインク６８が、第二供給流路７１２Ａ，７１２Ｂ及び第二循環流路７２２Ａ，７２２Ｂを介して、ヘッド部６７に供給される（矢印４１２参照）。印刷動作では、メインタンク６５からインク６８は供給されず、インク６８がメインタンク６５へ循環されない。
【００５７】
次に、パウチ−タンク間循環が行われる場合について説明する。図１０に示すように、パウチ−タンク間循環が行われる場合、ＣＰＵ７０は、電磁弁７６１，７６２，７６４，７６５を開き、電磁弁７６３Ａ，７６３Ｂ，７６６Ａ，７６６Ｂを閉じる。ＣＰＵ７０の制御によって、ポンプ７５１が動作する。これによって、インク６８が、メインタンク６５から吸い上げられ、第一供給流路７１１、サブパウチ８、第一循環流路７２１を介して、メインタンク６５に流れる（矢印４１３参照）。これによって、メインタンク６５、第一供給流路７１１、サブパウチ８、及び第一循環流路７２１におけるインク６８の循環が行われる。パウチ−タンク間循環では、ヘッド部６７にインク６８は供給されず、かつヘッド部６７からインク６８が循環されない。
【００５８】
次に、ヘッド−タンク間循環が行われる場合について説明する。本実施形態においては、第二供給流路７１２Ａ、ヘッド部６７、及び第二循環流路７２２Ａを介する第一ヘッド−タンク間循環が行われる場合（図１１参照）と、第二供給流路７１２Ｂ、ヘッド部６７、及び第二循環流路７２２Ｂを介する第二ヘッド−タンク間循環が行われる場合とがある。
【００５９】
図１１に示すように、第一ヘッド−タンク間循環が行われる場合、ＣＰＵ７０は、電磁弁７６１，７６３Ａ，７６４，７６６Ａを開き、電磁弁７６２，７６３Ｂ，７６５，７６６Ｂを閉じる。ＣＰＵ７０の制御によって、ポンプ７５１が動作する。これによって、インク６８が、メインタンク６５から吸い上げられ、第一供給流路７１１、第二供給流路７１２Ａ、ヘッド部６７、第二循環流路７２２Ａ、及び第一循環流路７２１を介して、メインタンク６５に流れる（矢印４１４参照）。これによって、メインタンク６５、第一供給流路７１１、第二供給流路７１２Ａ、ヘッド部６７、第二循環流路７２２Ａ、及び第一循環流路７２１におけるインク６８の循環が行われる。
【００６０】
図示しないが、第二ヘッド−タンク間循環が行われる場合、ＣＰＵ７０は、電磁弁７６１，７６３Ｂ，７６４，７６６Ｂを開き、電磁弁７６２，７６３Ａ，７６５，７６６Ａを閉じる。ＣＰＵ７０の制御によって、ポンプ７５１が動作する。これによって、インク６８が、メインタンク６５から吸い上げられ、第一供給流路７１１、第二供給流路７１２Ｂ、ヘッド部６７、第二循環流路７２２Ｂ、及び第一循環流路７２１を介して、メインタンク６５に流れる。これによって、メインタンク６５、第一供給流路７１１、第二供給流路７１２Ｂ、ヘッド部６７、第二循環流路７２２Ｂ、及び第一循環流路７２１におけるインク６８の循環が行われる。
【００６１】
ヘッド−パウチ間循環を行う場合について説明する。本実施形態においては、サブパウチ８、第二供給流路７１２Ａ、ヘッド部６７、及び第二循環流路７２２Ａを介する第一ヘッド−パウチ間循環が行われる場合と、サブパウチ８、第二供給流路７１２Ｂ、ヘッド部６７、及び第二循環流路７２２Ｂを介する第二ヘッド−パウチ間循環が行われる場合とがある。
【００６２】
図示しないが、第一ヘッド−パウチ間循環が行われる場合、ＣＰＵ７０は、電磁弁７６２，７６３Ａ，７６５，７６６Ａを開き、電磁弁７６１，７６３Ｂ，７６４，７６６Ｂを閉じる。第二供給流路７１２Ａ又は第二循環流路７２２Ａに、ポンプ（図示せず）を設ける。ＣＰＵ７０の制御によって、該ポンプが動作する。これによって、サブパウチ８、第二供給流路７１２Ａ、ヘッド部６７、及び第二循環流路７２２Ａにおけるインク６８の循環が行われる。
【００６３】
図示しないが、第二ヘッド−パウチ間循環が行われる場合、ＣＰＵ７０は、電磁弁７６２，７６３Ｂ，７６５，７６６Ｂを開き、電磁弁７６１，７６３Ａ，７６４，７６６Ａを閉じる。第二供給流路７１２Ｂ又は第二循環流路７２２Ｂに、ポンプ（図示せず）を設ける。ＣＰＵ７０の制御によって、該ポンプが動作する。これによって、サブパウチ８、第二供給流路７１２Ｂ、ヘッド部６７、及び第二循環流路７２２Ｂにおけるインク６８の循環が行われる。
【００６４】
以上のように、印刷装置１Ｂにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、第一供給流路７１１、第二供給流路７１２Ａ，７１２Ｂ、第一循環流路７２１、及び第二循環流路７２２Ａ，７２２Ｂのうちの全ての流路においてインク６８の循環を行うことができる。よって、第一実施形態と同様に、印刷品質が低下する可能性を低減できる。
【００６５】
また、第二供給流路７１２Ａには、第二供給流路７１２Ａを開閉する電磁弁７６３Ａが設けられている。第二供給流路７１２Ｂには、第二供給流路７１２Ｂを開閉する電磁弁７６３Ｂが設けられている。第二循環流路７２２Ａには、第二循環流路７２２Ａを開閉する電磁弁７６６Ａが設けられている。第二循環流路７２２Ｂには、第二循環流路７２２Ｂを開閉する電磁弁７６６Ｂが設けられている。電磁弁７６３Ａ，７６３Ｂ，７６６Ａ，７６６Ｂは、メインタンク６５とサブパウチ８との少なくとも一方におけるインク６８の循環が行われる場合、本実施形態ではパウチ−タンク間循環が行われる場合に、第二供給流路７１２Ａ，７１２Ｂと第二循環流路７２２Ａ，７２２Ｂとを閉じる（図１０参照）。このため、パウチ−タンク間循環が行われる場合に、第一実施形態と同様に印刷品質が向上する。
【００６６】
次に、図１２〜図１４を参照し、第三の実施形態に係る印刷装置１である印刷装置１Ｃについて説明する。第三の実施形態においては、上記実施形態と同様の構成は同じ符号で示し、詳細の説明は省略する。
【００６７】
図１２に示すように、印刷装置１Ｃは、第一の実施形態に係る印刷装置１Ａの構成に加え、バイパス流路８０１、ポンプ７５２、及び電磁弁７６７を備えている。バイパス流路８０１は、第二供給流路７１２と第二循環流路７２２とを結ぶ。バイパス流路８０１と第二供給流路７１２とは、第五接続部７９５において接続されている。第五接続部７９５は、第一接続部７９１と電磁弁７６３との間に設けられている。バイパス流路８０１と第二循環流路７２２とは、第六接続部７９６において接続されている。第六接続部７９６は、第二接続部７９２と電磁弁７６６との間に設けられている。
【００６８】
ポンプ７５２は、バイパス流路８０１に設けられている。ポンプ７５２は、ＣＰＵ７０の制御によって動作し、第六接続部７９６から第五接続部７９５側にインク６８を流す。電磁弁７６７は、バイパス流路８０１において、ポンプ７５２と第五接続部７９５との間に設けられている。電磁弁７６７は、ＣＰＵ７０の制御によってバイパス流路８０１を開閉する。
【００６９】
なお、図１３及び図１４においては、流路の一部、及び、タンクシステム６００の構成を簡略化して示しているが、流路、及びタンクシステム６００が有する構成は、図１２の場合と同様である。また、図１３及び図１６においてはＣＰＵ７０の図示を省略している。  
【００７０】
印刷装置１Ｃにおけるインク６８の流れについて説明する。まず、サブパウチ充填が行われる場合について説明する。サブパウチ充填が行われる場合、ＣＰＵ７０は、電磁弁７６１，７６２を開き、電磁弁７６３，７６４，７６５，７６６，７６７を閉じる。ＣＰＵ７０の制御によって、ポンプ７５１が動作する。これによって、図３の矢印４０１と同様に、メインタンク６５に収容されたインク６８が、第一供給流路７１１を介してサブパウチ８に供給される。インク６８は、サブパウチ８内に収容される。
【００７１】
次に、印刷動作が行われる場合について説明する。印刷動作を行われる場合、ＣＰＵ７０は、電磁弁７６２，７６３，７６５，７６６を開き、電磁弁７６１，７６４，７６７を閉じる。ＣＰＵ７０の制御によって、ヘッド部６７からインク６８を吐出する動作が行われる。図４の矢印４０２と同様に、ヘッド部６７からインク６８が吐出されることで、サブパウチ８に収容されたインク６８が、第二供給流路７１２及び第二循環流路７２２を介して、ヘッド部６７に供給される。
【００７２】
次に、サブパウチ８及びバイパス流路８０１を介したインク６８の循環を行う場合について説明する。以下、サブパウチ８及びバイパス流路８０１を介したインク６８の循環を「パウチ−バイパス間循環」という。図１３に示すように、パウチ−バイパス間循環が行われる場合、ＣＰＵ７０は、電磁弁７６２，７６５，７６７を開き、電磁弁７６１，７６３，７６４，７６６を閉じる。ＣＰＵ７０の制御によって、ポンプ７５２が動作する。これによって、サブパウチ８、第二供給流路７１２の一部、第二循環流路７２２の一部、及びバイパス流路８０１におけるインク６８の循環が行われる（矢印４３３参照）。パウチ−バイパス間循環では、ヘッド部６７にインク６８は供給されず、かつヘッド部６７からインク６８が循環されない。同様に、パウチ−バイパス間循環では、メインタンク６５からインク６８は供給されず、メインタンク６５へインク６８が循環されない。
【００７３】
次に、パウチ−タンク間循環が行われる場合について説明する。パウチ−タンク間循環が行われる場合、ＣＰＵ７０は、電磁弁７６１，７６２，７６４，７６５を開き、電磁弁７６３，７６６，７６７を閉じる。ＣＰＵ７０の制御によって、ポンプ７５１が動作する。これによって、図５の矢印４０３の場合と同様に、インク６８が、メインタンク６５から吸い上げられ、第一供給流路７１１、サブパウチ８、第一循環流路７２１を介して、メインタンク６５に流れる。これによって、メインタンク６５、第一供給流路７１１、サブパウチ８、及び第一循環流路７２１におけるインク６８の循環が行われる。
【００７４】
次に、ヘッド部６７及びバイパス流路８０１を介したインク６８の循環を行う場合について説明する。以下、ヘッド部６７及びバイパス流路８０１を介したインク６８の循環を「ヘッド−バイパス間循環」という。図１４に示すように、ヘッド−バイパス間循環が行われる場合、ＣＰＵ７０は、電磁弁７６３，７６６，７６７を開き、電磁弁７６１，７６２，７６４，７６５を閉じる。ＣＰＵ７０の制御によって、ポンプ７５２が動作する。これによって、バイパス流路８０１、第二供給流路７１２、ヘッド部６７、及び第二循環流路７２２におけるインク６８の循環が行われる（矢印４３５参照）。ヘッド−バイパス間循環では、メインタンク６５からインク６８は供給されず、メインタンク６５へインク６８が循環されない。
【００７５】
ヘッド−タンク間循環を行う場合について説明する。図示しないが、ヘッド−タンク間循環が行われる場合、ＣＰＵ７０は、電磁弁７６１，７６３，７６４，７６６を開き、電磁弁７６２，７６５，７６７を閉じる。ＣＰＵ７０の制御によって、ポンプ７５１が動作する。これによって、図６の矢印４０４と同様に、インク６８が、メインタンク６５から吸い上げられ、第一供給流路７１１、第二供給流路７１２、ヘッド部６７、第二循環流路７２２、及び第一循環流路７２１を介して、メインタンク６５に流れる。これによって、メインタンク６５、第一供給流路７１１、第二供給流路７１２、ヘッド部６７、第二循環流路７２２、及び第一循環流路７２１におけるインク６８の循環が行われる。
【００７６】
ヘッド−パウチ間循環を行う場合について説明する。図示しないが、ヘッド−パウチ間循環が行われる場合、ＣＰＵ７０は、電磁弁７６２，７６３，７６５，７６６を開き、電磁弁７６１，７６４，７６７を閉じる。第二供給流路７１２又は第二循環流路７２２に、ポンプ（図示せず）を設ける。ＣＰＵ７０の制御によって、該ポンプが動作する。これによって、サブパウチ８、第二供給流路７１２、ヘッド部６７、及び第二循環流路７２２におけるインク６８の循環が行われる。
【００７７】
インク６８の流速について説明する、本実施形態においては、ヘッド部６７を介するヘッド−バイパス間循環（図１４参照）、ヘッド−タンク間循環、及びヘッド−パウチ間循環が行われる場合、パウチ−バイパス間循環（図１３参照）とパウチ−タンク間循環とが行われる場合よりも、インク６８の流速が遅い「弱循環」が行われる。また、パウチ−バイパス間循環（図１３参照）とパウチ−タンク間循環とが行われる場合、ヘッド−バイパス間循環（図１４参照）、ヘッド−タンク間循環、及びヘッド−パウチ間循環が行われる場合よりもインク６８の流速が速い「強循環」が行われる。
【００７８】
ヘッド部６７を介する循環が行われる場合に弱循環となるので、循環による圧力を小さくすることができる。このため、循環による圧力が大きい場合に比べて、ヘッド部６７においてインク６８のメニスカスが破壊される可能性を低減できる。また、パウチ−バイパス間循環（図１３参照）とパウチ−タンク間循環とが行われる場合に強循環となり、循環の圧力が大きくなる。このため、循環による圧力が小さい場合に比べて、より多くの量のインク６８を循環させることができ、サブパウチ８及びメインタンク６５においてインク６８の成分が沈降する可能性を低減できる。以下では特に説明しないが、弱循環と強循環とが行われる場合、上記と同様の効果を奏する。
【００７９】
また、サブパウチ充填が行われる場合、パウチ−バイパス間循環（図１３参照）とパウチ−タンク間循環が行われる場合よりも、インク６８の流速が遅い。サブパウチ充填においてインク６８の流速が遅いので、流速が早い場合に比べ、脱気部６０１による脱気効率が向上する。よって、サブパウチ８に充填されるインク６８に含まれる気泡が少なくなり、印刷品質が向上する。以下では特に説明しないが、サブパウチ充填の流速は、メインタンク６５を含む循環が行われる場合に比べて遅く、同様の効果を奏する。
【００８０】
以上のように、印刷装置１Ｃにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、印刷装置１Ｃは、第一供給流路７１１、第二供給流路７１２、第一循環流路７２１、及び第二循環流路７２２のうちの全ての流路においてインク６８の循環を行うことができる。よって、第一実施形態と同様に印刷品質が低下する可能性を低減できる。
【００８１】
また、バイパス流路８０１においてもインク６８の循環が行われる（図１３及び図１４参照）。このため、第一供給流路７１１、第二供給流路７１２、第一循環流路７２１、第二循環流路７２２、及びバイパス流路８０１のうちの全ての流路においてインク６８の循環を行うことができる。よって、第一供給流路７１１、第二供給流路７１２、第一循環流路７２１、第二循環流路７２２、及びバイパス流路８０１のうち、一部の流路においてインク６８の循環が行われない場合に比べて、インク６８の成分の沈降によって印刷品質が低下する可能性を低減できる。
【００８２】
また、第二供給流路７１２と第二循環流路７２２とを結ぶバイパス流路８０１が設けられているので、第二供給流路７１２、バイパス流路８０１、及び第二循環流路７２２を介したインク６８の循環を行うことができる（図１３及び図１４参照）。よって、サブパウチ８に影響を与えることなく、インク６８の循環を行うことができ、サブパウチ８から余分なインク６８が流出することを防止できる。このため、サブパウチ８を介してインクが循環されてサブパウチ８から余分なインク６８が流出する場合に比べて、第二供給流路７１２と第二循環流路７２２とにおいてインク６８が循環する場合の流速が安定する。よって、第二供給流路７１２と第二循環流路７２２とにおいて、インク６８の成分が沈降し難い。故に、インク６８の成分の沈降によって印刷品質が低下する可能性を低減できる。
【００８３】
また、第二供給流路７１２には、第二供給流路７１２を開閉する電磁弁７６３が設けられている。第二循環流路７２２には、第二循環流路７２２を開閉する電磁弁７６６が設けられている。電磁弁７６３，７６６は、メインタンク６５とサブパウチ８との少なくとも一方におけるインク６８の循環が行われる場合、本実施形態では、パウチ−バイパス間循環（図１３参照）及びパウチ−タンク間循環が行われる場合に、第二供給流路７１２と第二循環流路７２２とを閉じる。このため、パウチ−バイパス間循環（図１３参照）及びパウチ−タンク間循環が行われる場合に、第一実施形態と同様に印刷品質が向上する。
【００８４】
また、第一供給流路７１１には、第一供給流路７１１を開閉する電磁弁７６１が設けられている。第一循環流路７２１には、第一循環流路７２１を開閉する電磁弁７６４が設けられている。電磁弁７６１，７６４は、第二供給流路７１２と第二循環流路７２２とにおけるインク６８の循環が行われる場合に、第一供給流路７１１と第一循環流路７２１とを閉じる（図１４参照）。このため、電磁弁７６１，７６４によって、第一供給流路７１１と第一循環流路７２１とが閉じられない場合に比べて、メインタンク６５も含めてインク６８が循環してインク６８の循環の流路が長くなることを防止できる。よって、第二供給流路７１２と第二循環流路７２２とにおけるインク６８の循環がより効率的に行われる。よって、インク６８が沈降する可能性を低減でき、印刷品質が向上する。なお、効率的とは、一例として、インク６８の循環の時間短縮などを行えるという意味である。
【００８５】
図１５〜図１７を参照し、第四の実施形態に係る印刷装置１である印刷装置１Ｄについて説明する。第四の実施形態において、上記実施形態と同様の構成は同じ符号で示し、詳細の説明は省略する。
【００８６】
図１５に示すように、印刷装置１Ｄにおいては、第四の実施形態に係る印刷装置１Ｂ（図７参照）の構成に加え、バイパス流路８０１、ポンプ７５２、電磁弁７６７、第五接続部７９５、及び第六接続部７９６が、夫々２つ設けられている。以下の説明では、２つのバイパス流路８０１のうち、一方をバイパス流路８０１Ａといい、他方をバイパス流路８０１Ｂという。２つのポンプ７５２のうち、一方をポンプ７５２Ａといい、他方をポンプ７５２Ｂという。２つの電磁弁７６７のうち、一方を電磁弁７６７Ａといい、他方を電磁弁７６７Ｂという。２つの第五接続部７９５のうち、一方を第五接続部７９５Ａといい、他方を第五接続部７９５Ｂという。２つの第六接続部７９６のうち、一方を第六接続部７９６Ａといい、他方を第六接続部７９６Ｂという。
【００８７】
バイパス流路８０１Ａは、第二供給流路７１２Ａと第二循環流路７２２Ａとを結ぶ。バイパス流路８０１Ａと第二供給流路７１２Ａとは、第五接続部７９５Ａにおいて接続されている。第五接続部７９５Ａは、第三接続部７９３と電磁弁７６３Ａとの間に設けられている。バイパス流路８０１Ａと第二循環流路７２２Ａとは、第六接続部７９６Ａにおいて接続されている。第六接続部７９６Ａは、第四接続部７９４と電磁弁７６６Ａとの間に設けられている。
【００８８】
バイパス流路８０１Ｂは、第二供給流路７１２Ｂと第二循環流路７２２Ｂとを結ぶ。バイパス流路８０１Ｂと第二供給流路７１２Ｂとは、第五接続部７９５Ｂにおいて接続されている。第五接続部７９５Ｂは、第三接続部７９３と電磁弁７６３Ｂとの間に設けられている。バイパス流路８０１Ｂと第二循環流路７２２Ｂとは、第六接続部７９６Ｂにおいて接続されている。第六接続部７９６Ｂは、第四接続部７９４と電磁弁７６６Ｂとの間に設けられている。
【００８９】
ポンプ７５２Ａは、バイパス流路８０１Ａに設けられている。ポンプ７５２Ａは、ＣＰＵ７０の制御によって動作し、第六接続部７９６Ａから第五接続部７９５Ａ側にインク６８を流す。電磁弁７６７Ａは、バイパス流路８０１Ａにおいて、ポンプ７５２Ａと第五接続部７９５Ａとの間に設けられている。電磁弁７６７Ａは、ＣＰＵ７０の制御によってバイパス流路８０１Ａを開閉する。
【００９０】
ポンプ７５２Ｂは、バイパス流路８０１Ｂに設けられている。ポンプ７５２Ｂは、ＣＰＵ７０の制御によって動作し、第六接続部７９６Ｂから第五接続部７９５Ｂ側にインク６８を流す。電磁弁７６７Ｂは、バイパス流路８０１Ｂにおいて、ポンプ７５２Ｂと第五接続部７９５Ｂとの間に設けられている。電磁弁７６７Ｂは、ＣＰＵ７０の制御によってバイパス流路８０１Ｂを開閉する。
【００９１】
印刷装置１Ｄにおけるインク６８の流れについて説明する。まず、サブパウチ充填が行われる場合について説明する。サブパウチ充填が行われる場合、ＣＰＵ７０は、電磁弁７６１，７６２を開き、電磁弁７６３Ａ，７６３Ｂ，７６４，７６５，７６６Ａ，７６６Ｂ，７６７Ａ，７６７Ｂを閉じる。ＣＰＵ７０の制御によって、ポンプ７５１が動作する。これによって、図８の矢印４１１と同様に、メインタンク６５に収容されたインク６８が、第一供給流路７１１を介してサブパウチ８に供給される。インク６８は、サブパウチ８内に収容される。
【００９２】
次に、印刷動作が行われる場合について説明する。印刷動作が行われる場合、ＣＰＵ７０は、電磁弁７６２，７６３Ａ，７６３Ｂ，７６５，７６６Ａ，７６６Ｂを開き、電磁弁７６１，７６４，７６７Ａ，７６７Ｂを閉じる。ＣＰＵ７０の制御によって、ヘッド部６７からインク６８を吐出する動作が行われる。図９の矢印４１２と同様に、ヘッド部６７からインク６８が吐出されることで、サブパウチ８に収容されたインク６８が、第二供給流路７１２Ａ，７１２Ｂ及び第二循環流路７２２Ａ，７２２Ｂを介して、ヘッド部６７に供給される。
【００９３】
次に、パウチ−バイパス間循環が行われる場合について説明する。本実施形態においては、サブパウチ８及びバイパス流路８０１Ａを介する第一パウチ−バイパス間循環が行われる場合（図１６参照）と、サブパウチ８及びバイパス流路８０１Ｂを介する第二パウチ−バイパス間循環が行われる場合とがある。
【００９４】
図１６に示すように、第一パウチ−バイパス間循環が行われる場合、ＣＰＵ７０は、電磁弁７６２，７６５，７６７Ａを開き、電磁弁７６１，７６３Ａ，７６３Ｂ，７６４，７６６Ａ，７６６Ｂ，７６７Ｂを閉じる。ＣＰＵ７０の制御によって、ポンプ７５２Ａが動作する。これによって、サブパウチ８、第二供給流路７１２の一部、第二循環流路７２２の一部、及びバイパス流路８０１Ａにおけるインク６８の循環が行われる（矢印４４３参照）。
【００９５】
図示しないが、第二パウチ−バイパス間循環が行われる場合、ＣＰＵ７０は、電磁弁７６２，７６５，７６７Ｂを開き、電磁弁７６１，７６３Ａ，７６３Ｂ，７６４，７６６Ａ，７６６Ｂ，７６７Ａを閉じる。ＣＰＵ７０の制御によって、ポンプ７５２Ｂが動作する。これによって、サブパウチ８、第二供給流路７１２の一部、第二循環流路７２２の一部、及びバイパス流路８０１Ｂにおけるインク６８の循環が行われる。
【００９６】
次に、パウチ−タンク間循環が行われる場合について説明する。パウチ−タンク間循環が行われる場合、ＣＰＵ７０は、電磁弁７６１，７６２，７６４，７６５を開き、電磁弁７６３Ａ，７６３Ｂ，７６６Ａ，７６６Ｂ，７６７Ａ，７６７Ｂを閉じる。ＣＰＵ７０の制御によって、ポンプ７５１が動作する。これによって、図１０の矢印４１３と同様に、インク６８が、メインタンク６５から吸い上げられ、第一供給流路７１１、サブパウチ８、第一循環流路７２１を介して、メインタンク６５に流れる。これによって、メインタンク６５、第一供給流路７１１、サブパウチ８、及び第一循環流路７２１におけるインク６８の循環が行われる。
【００９７】
次に、ヘッド−バイパス間循環が行われる場合について説明する。本実施形態においては、第二供給流路７１２Ａ、ヘッド部６７、第二循環流路７２２Ａ、及びバイパス流路８０１Ａを介する第一ヘッド−バイパス間循環が行われる場合（図１７参照）と、第二供給流路７１２Ｂ、ヘッド部６７、第二循環流路７２２Ｂ、及びバイパス流路８０１Ｂを介する第二ヘッド−バイパス間循環が行われる場合とがある。
【００９８】
図１７に示すように、第一ヘッド−バイパス間循環が行われる場合、ＣＰＵ７０は、電磁弁７６３Ａ，７６６Ａ，７６７Ａを開き、電磁弁７６１，７６２，７６４，７６５，７６３Ｂ，７６６Ｂ，７６７Ｂを閉じる。ＣＰＵ７０の制御によって、ポンプ７５２Ａが動作する。これによって、バイパス流路８０１Ａ、第二供給流路７１２Ａ、ヘッド部６７、及び第二循環流路７２２Ａにおけるインク６８の循環が行われる（矢印４４６参照）。
【００９９】
図示しないが、第二ヘッド−バイパス間循環が行われる場合、ＣＰＵ７０は、電磁弁７６３Ｂ，７６６Ｂ，７６７Ｂを開き、電磁弁７６１，７６２，７６４，７６５，７６３Ａ，７６６Ａ，７６７Ａを閉じる。ＣＰＵ７０の制御によって、ポンプ７５２Ｂが動作する。これによって、バイパス流路８０１Ｂ、第二供給流路７１２Ｂ、ヘッド部６７、及び第二循環流路７２２Ｂにおけるインク６８の循環が行われる。
【０１００】
ヘッド−タンク間循環を行う場合について説明する。本実施形態においては、メインタンク６５、第一供給流路７１１、第二供給流路７１２Ａ、ヘッド部６７、第二循環流路７２２Ａ、及び第一循環流路７２１を介する第一ヘッド−タンク間循環が行われる場合と、メインタンク６５、第一供給流路７１１、第二供給流路７１２Ｂ、ヘッド部６７、第二循環流路７２２Ｂ、及び第一循環流路７２１を介する第二ヘッド−タンク間循環が行われる場合とがある。
【０１０１】
図示しないが、第一ヘッド−タンク間循環が行われる場合、ＣＰＵ７０は、電磁弁７６１，７６３Ａ，７６４，７６６Ａを開き、電磁弁７６２，７６３Ｂ，７６５，７６６Ｂ，７６７Ａ，７６７Ｂを閉じる。ＣＰＵ７０の制御によって、ポンプ７５１が動作する。これによって、図１１の矢印４１４と同様に、インク６８が、メインタンク６５から吸い上げられ、第一供給流路７１１、第二供給流路７１２Ａ、ヘッド部６７、第二循環流路７２２Ａ、及び第一循環流路７２１を介して、メインタンク６５に流れる。これによって、メインタンク６５、第一供給流路７１１、第二供給流路７１２Ａ、ヘッド部６７、第二循環流路７２２Ａ、及び第一循環流路７２１におけるインク６８の循環が行われる。
【０１０２】
図示しないが、第二ヘッド−タンク間循環が行われる場合、ＣＰＵ７０は、電磁弁７６１，７６３Ｂ，７６４，７６６Ｂを開き、電磁弁７６２，７６３Ａ，７６５，７６６Ａ，７６７Ａ，７６７Ｂを閉じる。ＣＰＵ７０の制御によって、ポンプ７５１が動作する。これによって、インク６８が、メインタンク６５から吸い上げられ、第一供給流路７１１、第二供給流路７１２Ｂ、ヘッド部６７、第二循環流路７２２Ｂ、及び第一循環流路７２１を介して、メインタンク６５に流れる。これによって、メインタンク６５、第一供給流路７１１、第二供給流路７１２Ｂ、ヘッド部６７、第二循環流路７２２Ｂ、及び第一循環流路７２１におけるインク６８の循環が行われる。
【０１０３】
ヘッド−パウチ間循環を行う場合について説明する。本実施形態においては、サブパウチ８、第二供給流路７１２Ａ、ヘッド部６７、及び第二循環流路７２２Ａを介する第一ヘッド−パウチ間循環が行われる場合と、サブパウチ８、第二供給流路７１２Ｂ、ヘッド部６７、及び第二循環流路７２２Ｂを介する第二ヘッド−パウチ間循環が行われる場合とがある。
【０１０４】
図示しないが、第一ヘッド−パウチ間循環が行われる場合、ＣＰＵ７０は、電磁弁７６２，７６３Ａ，７６５，７６６Ａを開き、電磁弁７６１，７６３Ｂ，７６４，７６６Ｂ，７６７Ａ，７６７Ｂを閉じる。第二供給流路７１２Ａ又は第二循環流路７２２Ａに、ポンプ（図示せず）を設ける。ＣＰＵ７０の制御によって、該ポンプが動作する。これによって、サブパウチ８、第二供給流路７１２Ａ、ヘッド部６７、及び第二循環流路７２２Ａにおけるインク６８の循環が行われる。
【０１０５】
図示しないが、第二ヘッド−パウチ間循環が行われる場合、ＣＰＵ７０は、電磁弁７６２，７６３Ｂ，７６５，７６６Ｂを開き、電磁弁７６１，７６３Ａ，７６４，７６６Ａ，７６７Ａ，７６７Ｂを閉じる。第二供給流路７１２Ｂ又は第二循環流路７２２Ｂに、ポンプ（図示せず）を設ける。ＣＰＵ７０の制御によって、該ポンプが動作する。これによって、サブパウチ８、第二供給流路７１２Ｂ、ヘッド部６７、及び第二循環流路７２２Ｂにおけるインク６８の循環が行われる。
【０１０６】
本実施形態においては、ヘッド−バイパス間循環（図１７参照）、ヘッド−タンク間循環、及びヘッド−パウチ間循環が行われる場合、パウチ−バイパス間循環（図１６参照）とパウチ−タンク間循環が行われる場合よりも、インク６８の流速が遅い「弱循環」が行われる。また、パウチ−バイパス間循環（図１６）とパウチ−タンク間循環が行われる場合、ヘッド−バイパス間循環（図１７）、ヘッド−タンク間循環、及びヘッド−パウチ間循環が行われる場合よりもインク６８の流速が速い「強循環」が行われる。
【０１０７】
以上のように、印刷装置１Ｄにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、印刷装置１Ｄは、第一供給流路７１１、第二供給流路７１２Ａ，７１２Ｂ、第一循環流路７２１、及び第二循環流路７２２Ａ，７２２Ｂのうちの全ての流路においてインク６８の循環を行うことができる。よって、第一実施形態と同様に印刷品質が低下する可能性を低減できる。
【０１０８】
また、バイパス流路８０１Ａ，８０１Ｂにおいてもインク６８の循環が行われる（図１６及び図１７参照）。このため、第一供給流路７１１、第二供給流路７１２Ａ，７１２Ｂ、第一循環流路７２１、第二循環流路７２２Ａ，７２２Ｂ、及びバイパス流路８０１Ａ，８０１Ｂのうちの全ての流路においてインク６８の循環を行うことができる。よって、第三実施形態と同様に印刷品質が低下する可能性を低減できる。
【０１０９】
また、第二供給流路７１２Ａと第二循環流路７２２Ａとを結ぶバイパス流路８０１Ａが設けられている。第二供給流路７１２Ａと第二循環流路７２２Ａとを結ぶバイパス流路８０１Ａが設けられている。このため、第二供給流路７１２Ａ、バイパス流路８０１Ａ、及び第二循環流路７２２Ａを介したインク６８の循環、及び、第二供給流路７１２Ｂ、バイパス流路８０１Ｂ、及び第二循環流路７２２Ｂを介したインク６８の循環を行うことができる（図１６及び図１７参照）。よって、第三実施形態と同様に印刷品質が低下する可能性を低減できる。
【０１１０】
また、第二供給流路７１２Ａには、第二供給流路７１２Ａを開閉する電磁弁７６３Ａが設けられている。第二供給流路７１２Ｂには、第二供給流路７１２Ｂを開閉する電磁弁７６３Ｂが設けられている。第二循環流路７２２Ａには、第二循環流路７２２Ａを開閉する電磁弁７６６Ａが設けられている。第二循環流路７２２Ｂには、第二循環流路７２２Ｂを開閉する電磁弁７６６Ｂが設けられている。電磁弁７６３Ａ，７６３Ｂ，７６６Ａ，６６Ｂは、メインタンク６５とサブパウチ８との少なくとも一方におけるインク６８の循環が行われる場合、本実施形態では、パウチ−バイパス間循環（図１６参照）及びパウチ−タンク間循環が行われる場合に、第二供給流路７１２Ａ，７１２Ｂと第二循環流路７２２Ａ，７２２Ｂとを閉じる。このため、第一実施形態と同様に印刷品質が向上する。
【０１１１】
また、第一供給流路７１１には、第一供給流路７１１を開閉する電磁弁７６１が設けられている。第一循環流路７２１には、第一循環流路７２１を開閉する電磁弁７６４が設けられている。電磁弁７６１，７６４は、第二供給流路７１２と第二循環流路７２２とにおけるインク６８の循環が行われる場合に、第一供給流路７１１と第一循環流路７２１とを閉じる（図１７参照）。このため、第三実施形態と同様に印刷品質が向上する。
【０１１２】
次に、図１８〜図２０を参照し、第五の実施形態に係る印刷装置１である印刷装置１Ｅについて説明する。第五の実施形態においては、上記実施形態と同様の構成は同じ符号で示し、詳細の説明は省略する。
【０１１３】
図１８に示すように、印刷装置１Ｅは、第三の実施形態に係る印刷装置１Ｃ（図１２参照）の構成に加え、バイパス流路８１１、及び電磁弁７６８を備えている。バイパス流路８１１は、第一供給流路７１１と第一循環流路７２１とを結ぶ。バイパス流路８１１と第一供給流路７１１とは、第七接続部７９７において接続されている。第七接続部７９７は、第一接続部７９１と電磁弁７６１との間に設けられている。バイパス流路８１１と第一循環流路７２１とは、第八接続部７９８において接続されている。第八接続部７９８は、第二接続部７９２と電磁弁７６４との間に設けられている。
【０１１４】
なお、図１９及び図２０においては、流路の一部、及び、タンクシステム６００の構成を簡略化して示しているが、流路、及びタンクシステム６００が有する構成は、図１８の場合と同様である。また、図１９及び図２０においてはＣＰＵ７０の図示を省略している。
【０１１５】
印刷装置１Ｅにおけるインク６８の流れについて説明する。まず、サブパウチ充填が行われる場合について説明する。サブパウチ充填が行われる場合、ＣＰＵ７０は、電磁弁７６１，７６２を開き、電磁弁７６３，７６４，７６５，７６６，７６７，７６８を閉じる。ＣＰＵ７０の制御によって、ポンプ７５１が動作する。これによって、図３の矢印４０１と同様に、メインタンク６５に収容されたインク６８が、第一供給流路７１１を介してサブパウチ８に供給される。インク６８は、サブパウチ８内に収容される。
【０１１６】
次に、印刷動作が行われる場合について説明する。印刷動作が行われる場合、ＣＰＵ７０は、電磁弁７６２，７６３，７６５，７６６を開き、電磁弁７６１，７６４，７６７，７６８を閉じる。ＣＰＵ７０の制御によって、ヘッド部６７からインク６８を吐出する動作が行われる。図４の矢印４０２と同様に、ヘッド部６７からインク６８が吐出されることで、サブパウチ８に収容されたインク６８が、第二供給流路７１２及び第二循環流路７２２を介して、ヘッド部６７に供給される。
【０１１７】
次に、パウチ−バイパス間循環が行われる場合について説明する。図示しないが、パウチ−バイパス間循環が行われる場合、ＣＰＵ７０は、電磁弁７６２，７６５，７６７を開き、電磁弁７６１，７６３，７６４，７６６，７６８を閉じる。ＣＰＵ７０の制御によって、ポンプ７５２が動作する。これによって、図１３の矢印４３３と同様に、サブパウチ８、第二供給流路７１２の一部、第二循環流路７２２の一部、及びバイパス流路８０１におけるインク６８の循環が行われる。
【０１１８】
次に、バイパス流路８０１とバイパス流路８１１とを介する循環について説明する。本実施形態においては、バイパス流路８０１とバイパス流路８１１を介する循環を「チューブ循環」という場合がある。
【０１１９】
図１９に示すように、チューブ循環が行われる場合、ＣＰＵ７０は、電磁弁７６７，７６８を開き、電磁弁７６１，７６２，７６３，７６４，７６５，７６６を閉じる。ＣＰＵ７０の制御によって、ポンプ７５２が動作する。これによって、バイパス流路８０１、第一供給流路７１１の一部、第二供給流路７１２の一部、第一循環流路７２１の一部、第二循環流路７２２の一部、及びバイパス流路８１１におけるインク６８の循環が行われる（矢印４５４参照）。
【０１２０】
次に、メインタンク６５及びバイパス流路８１１を介したインク６８の循環を行う場合について説明する。以下、メインタンク６５及びバイパス流路８１１を介したインク６８の循環を「タンク−バイパス間循環」という。図２０に示すように、タンク−バイパス間循環が行われる場合、ＣＰＵ７０は、電磁弁７６１，７６４，７６８を開き、電磁弁７６２，７６３，７６５，７６６，７６７を閉じる。ＣＰＵ７０の制御によって、ポンプ７５１が動作する。これによって、インク６８が、メインタンク６５から吸い上げられ、第一供給流路７１１、バイパス流路８１１、及び第一循環流路７２１を介して、メインタンク６５に流れる（矢印４５５参照）。これによって、メインタンク６５、第一供給流路７１１、バイパス流路８１１、及び第一循環流路７２１におけるインク６８の循環が行われる。
【０１２１】
次に、ヘッド−バイパス間循環が行われる場合について説明する。図示しないが、ヘッド−バイパス間循環が行われる場合、ＣＰＵ７０は、電磁弁７６３，７６６，７６７を開き、電磁弁７６１，７６２，７６４，７６５，７６８を閉じる。ＣＰＵ７０の制御によって、ポンプ７５２が動作する。これによって、図１４の矢印４３５と同様に、バイパス流路８０１、第二供給流路７１２、ヘッド部６７、及び第二循環流路７２２におけるインク６８の循環が行われる。ヘッド−バイパス間循環では、メインタンク６５からインク６８は供給されず、メインタンク６５へインク６８が循環されない。
【０１２２】
ヘッド−タンク間循環を行う場合について説明する。図示しないが、ヘッド−タンク間循環が行われる場合、ＣＰＵ７０は、電磁弁７６１，７６３，７６４，７６６を開き、電磁弁７６２，７６５，７６７，７６８を閉じる。ＣＰＵ７０の制御によって、ポンプ７５１が動作する。これによって、図６の矢印４０４と同様に、インク６８が、メインタンク６５から吸い上げられ、第一供給流路７１１、第二供給流路７１２、ヘッド部６７、第二循環流路７２２、及び第一循環流路７２１を介して、メインタンク６５に流れる。これによって、メインタンク６５、第一供給流路７１１、第二供給流路７１２、ヘッド部６７、第二循環流路７２２、及び第一循環流路７２１におけるインク６８の循環が行われる。
【０１２３】
ヘッド−パウチ間循環を行う場合について説明する。図示しないが、ヘッド−パウチ間循環が行われる場合、ＣＰＵ７０は、電磁弁７６２，７６３，７６５，７６６を開き、電磁弁７６１，７６４，７６７，７６８を閉じる。第二供給流路７１２又は第二循環流路７２２に、ポンプ（図示せず）を設ける。ＣＰＵ７０の制御によって、該ポンプが動作する。これによって、サブパウチ８、第二供給流路７１２、ヘッド部６７、及び第二循環流路７２２におけるインク６８の循環が行われる。
【０１２４】
パウチ−タンク間循環が行われる場合について説明する。パウチ−タンク間循環が行われる場合、ＣＰＵ７０は、電磁弁７６１，７６２，７６４，７６５を開き、電磁弁７６３，７６６，７６７，７６８を閉じる。ＣＰＵ７０の制御によって、ポンプ７５１が動作する。これによって、図５の矢印４０３の場合と同様に、インク６８が、メインタンク６５から吸い上げられ、第一供給流路７１１、サブパウチ８、第一循環流路７２１を介して、メインタンク６５に流れる。これによって、メインタンク６５、第一供給流路７１１、サブパウチ８、及び第一循環流路７２１におけるインク６８の循環が行われる。
【０１２５】
インク６８の流速について説明する、本実施形態においては、ヘッド部６７を介するヘッド−バイパス間循環、ヘッド−タンク間循環、及びヘッド−パウチ間循環が行われる場合、パウチ−バイパス間循環、パウチ−タンク間循環、タンク−バイパス間循環（図２０参照）が行われる場合よりも、インク６８の流速が遅い「弱循環」が行われる。また、パウチ−バイパス間循環、パウチ−タンク間循環、タンク−バイパス間循環（図２０参照）が行われる場合、ヘッド−バイパス間循環、ヘッド−タンク間循環、及びヘッド−パウチ間循環が行われる場合よりもインク６８の流速が速い「強循環」が行われる。
【０１２６】
以上のように、印刷装置１Ｅにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、印刷装置１Ｅは、第一供給流路７１１、第二供給流路７１２、第一循環流路７２１、及び第二循環流路７２２のうちの全ての流路においてインク６８の循環を行うことができる。よって、第一実施形態と同様に、印刷品質が低下する可能性を低減できる。
【０１２７】
また、バイパス流路８０１においてもインク６８の循環が行われる（図１９参照）。バイパス流路８１１においてもインク６８の循環が行われる（図１９及び図２０参照）。このため、第一供給流路７１１、第二供給流路７１２、第一循環流路７２１、第二循環流路７２２、バイパス流路８０１、及びバイパス流路８１１のうちの全ての流路においてインク６８の循環を行うことができる。よって、第三実施形態と同様に印刷品質が低下する可能性を低減できる。
【０１２８】
また、第二供給流路７１２と第二循環流路７２２とを結ぶバイパス流路８０１が設けられているので、第二供給流路７１２、バイパス流路８０１、及び第二循環流路７２２を介したインク６８の循環を行うことができる（図１９参照）。よって、第三実施形態と同様に印刷品質が低下する可能性を低減できる。
【０１２９】
また、第二供給流路７１２には、第二供給流路７１２を開閉する電磁弁７６３が設けられている。第二循環流路７２２には、第二循環流路７２２を開閉する電磁弁７６６が設けられている。電磁弁７６３，７６６は、メインタンク６５とサブパウチ８との少なくとも一方におけるインク６８の循環が行われる場合、本実施形態では、タンク−バイパス間循環（図２０参照）、パウチ−バイパス間循環、及びパウチ−タンク間循環が行われる場合に、第二供給流路７１２と第二循環流路７２２とを閉じる（図２０参照）。このため、第一実施形態と同様に印刷品質が向上する。
【０１３０】
また、第一供給流路７１１には、第一供給流路７１１を開閉する電磁弁７６１が設けられている。第一循環流路７２１には、第一循環流路７２１を開閉する電磁弁７６４が設けられている。電磁弁７６１，７６４は、第二供給流路７１２と第二循環流路７２２とにおけるインク６８の循環が行われる場合に、第一供給流路７１１と第一循環流路７２１とを閉じる（図１９参照）。このため、第三実施形態と同様に印刷品質が向上する。
【０１３１】
図２１〜図２３を参照し、第六の実施形態に係る印刷装置１である印刷装置１Ｆについて説明する。第六の実施形態においては、上記実施形態と同様の構成は同じ符号で示し、詳細の説明は省略する。
【０１３２】
図２１に示すように、印刷装置１Ｆは、第四の実施形態に係る印刷装置１Ｄ（図１５参照）の構成に加え、バイパス流路８１１、及び電磁弁７６８を備えている。バイパス流路８１１及び電磁弁７６８は、第五の実勢形態に係る印刷装置１Ｅ（図１８参照）と同様である。
【０１３３】
印刷装置１Ｆにおけるインク６８の流れについて説明する。まず、サブパウチ充填が行われる場合について説明する。サブパウチ充填が行われる場合、ＣＰＵ７０は、電磁弁７６１，７６２を開き、電磁弁７６３Ａ，７６３Ｂ，７６４，７６５，７６６Ａ，７６６Ｂ，７６７Ａ，７６７Ｂ，７６８を閉じる。ＣＰＵ７０の制御によって、ポンプ７５１が動作する。これによって、図８の矢印４１１と同様に、メインタンク６５に収容されたインク６８が、第一供給流路７１１を介してサブパウチ８に供給される。インク６８は、サブパウチ８内に収容される。
【０１３４】
次に、印刷動作が行われる場合について説明する。印刷動作が行われる場合、ＣＰＵ７０は、電磁弁７６２，７６３Ａ，７６３Ｂ，７６５，７６６Ａ，７６６Ｂを開き、電磁弁７６１，７６４，７６７Ａ，７６７Ｂ，７６８を閉じる。ＣＰＵ７０の制御によって、ヘッド部６７からインク６８を吐出する動作が行われる。図９の矢印４１２の場合と同様に、ヘッド部６７からインク６８が吐出されることで、サブパウチ８に収容されたインク６８が、第二供給流路７１２Ａ，７１２Ｂ及び第二循環流路７２２Ａ，７２２Ｂを介して、ヘッド部６７に供給される。
【０１３５】
次に、パウチ−バイパス間循環が行われる場合について説明する。本実施形態においては、サブパウチ８及びバイパス流路８０１Ａを介する第一パウチ−バイパス間循環が行われる場合と、サブパウチ８及びバイパス流路８０１Ｂを介する第二パウチ−バイパス間循環が行われる場合とがある。
【０１３６】
図示しないが、第一パウチ−バイパス間循環が行われる場合、ＣＰＵ７０は、電磁弁７６２，７６５，７６７Ａを開き、電磁弁７６１，７６３Ａ，７６３Ｂ，７６４，７６６Ａ，７６６Ｂ，７６７Ｂ，７６８を閉じる。ＣＰＵ７０の制御によって、ポンプ７５２Ａが動作する。これによって、図１６の矢印４４３と同様に、サブパウチ８、第二供給流路７１２の一部、第二循環流路７２２の一部、及びバイパス流路８０１Ａにおけるインク６８の循環が行われる。
【０１３７】
図示しないが、第二パウチ−バイパス間循環が行われる場合、ＣＰＵ７０は、電磁弁７６２，７６５，７６７Ｂを開き、電磁弁７６１，７６３Ａ，７６３Ｂ，７６４，７６６Ａ，７６６Ｂ，７６７Ａ，７６８を閉じる。ＣＰＵ７０の制御によって、ポンプ７５２Ｂが動作する。これによって、サブパウチ８、第二供給流路７１２の一部、第二循環流路７２２の一部、及びバイパス流路８０１Ｂにおけるインク６８の循環が行われる。
【０１３８】
次に、チューブ循環が行われる場合について説明する。本実施形態においては、バイパス流路８０１Ａ及びバイパス流路８１１を介する第一チューブ循環が行われる場合（図２２参照）と、バイパス流路８０１Ｂ及びバイパス流路８１１を介する第二チューブ循環環が行われる場合とがある。
【０１３９】
図２２に示すように、第一チューブ循環が行われる場合、ＣＰＵ７０は、電磁弁７６７Ａ，７６８を開き、電磁弁７６１，７６２，７６３Ａ，７６３Ｂ，７６４，７６５，７６６Ａ，７６６Ｂ，７６７Ｂを閉じる。ＣＰＵ７０の制御によって、ポンプ７５２Ａが動作する。これによって、バイパス流路８０１Ａ、第一供給流路７１１の一部、第二供給流路７１２の一部、第一循環流路７２１の一部、第二循環流路７２２の一部、及びバイパス流路８１１におけるインク６８の循環が行われる（矢印４６５参照）。
【０１４０】
図示しないが、第二チューブ循環が行われる場合、ＣＰＵ７０は、電磁弁７６７Ｂ，７６８を開き、電磁弁７６１，７６２，７６３Ａ，７６３Ｂ，７６４，７６５，７６６Ａ，７６６Ｂ，７６７Ａを閉じる。ＣＰＵ７０の制御によって、ポンプ７５２Ｂが動作する。これによって、バイパス流路８０１Ｂ、第一供給流路７１１の一部、第二供給流路７１２の一部、第一循環流路７２１の一部、第二循環流路７２２の一部、及びバイパス流路８１１におけるインク６８の循環が行われる。
【０１４１】
次に、タンク−バイパス間循環が行われる場合について説明する。図２３に示すように、タンク−バイパス間循環が行われる場合、ＣＰＵ７０は、電磁弁７６１，７６４，７６８を開き、電磁弁７６２，７６３Ａ，７６３Ｂ，７６５，７６６Ａ，７６６Ｂ，７６７Ａ，７６７Ｂを閉じる。ＣＰＵ７０の制御によって、ポンプ７５１が動作する。これによって、インク６８が、メインタンク６５から吸い上げられ、第一供給流路７１１、バイパス流路８１１、及び第一循環流路７２１を介して、メインタンク６５に流れる（矢印４６７参照）。これによって、メインタンク６５、第一供給流路７１１、バイパス流路８１１、及び第一循環流路７２１におけるインク６８の循環が行われる。
【０１４２】
次に、ヘッド−バイパス間循環が行われる場合について説明する。本実施形態においては、第二供給流路７１２Ａ、ヘッド部６７、第二循環流路７２２Ａ、及びバイパス流路８０１Ａを介する第一ヘッド−バイパス間循環が行われる場合と、第二供給流路７１２Ｂ、ヘッド部６７、第二循環流路７２２Ｂ、及びバイパス流路８０１Ｂを介する第二ヘッド−バイパス間循環が行われる場合とがある。
【０１４３】
図示しないが、第一ヘッド−バイパス間が行われる場合、ＣＰＵ７０は、電磁弁７６３Ａ，７６６Ａ，７６７Ａを開き、電磁弁７６１，７６２，７６３Ｂ，７６４，７６５，７６６Ｂ，７６７Ｂ，７６８を閉じる。ＣＰＵ７０の制御によって、ポンプ７５２Ａが動作する。これによって、図１７の矢印４４６と同様に、バイパス流路８０１Ａ、第二供給流路７１２Ａ、ヘッド部６７、及び第二循環流路７２２Ａにおけるインク６８の循環が行われる。
【０１４４】
図示しないが、第二ヘッド−バイパス間循環が行われる場合、ＣＰＵ７０は、電磁弁７６３Ｂ，７６６Ｂ，７６７Ｂを開き、電磁弁７６１，７６２，７６３Ａ，７６４，７６５，７６６Ａ，７６７Ａ，７６８を閉じる。ＣＰＵ７０の制御によって、ポンプ７５２Ｂが動作する。これによって、バイパス流路８０１Ｂ、第二供給流路７１２Ｂ、ヘッド部６７、及び第二循環流路７２２Ｂにおけるインク６８の循環が行われる。
【０１４５】
ヘッド−タンク間循環を行う場合について説明する。本実施形態においては、メインタンク６５、第一供給流路７１１、第二供給流路７１２Ａ、ヘッド部６７、第二循環流路７２２Ａ、及び第一循環流路７２１を介する第一ヘッド−タンク間循環が行われる場合と、メインタンク６５、第一供給流路７１１、第二供給流路７１２Ｂ、ヘッド部６７、第二循環流路７２２Ｂ、及び第一循環流路７２１を介する第二ヘッド−タンク間循環が行われる場合とがある。
【０１４６】
図示しないが、第一ヘッド−タンク間循環が行われる場合、ＣＰＵ７０は、電磁弁７６１，７６３Ａ，７６４，７６６Ａを開き、電磁弁７６２，７６３Ｂ，７６５，７６６Ｂ，７６７Ａ，７６７Ｂ，７６８を閉じる。ＣＰＵ７０の制御によって、ポンプ７５１が動作する。これによって、図１１の矢印４１４と同様に、インク６８が、メインタンク６５から吸い上げられ、第一供給流路７１１、第二供給流路７１２Ａ、ヘッド部６７、第二循環流路７２２Ａ、及び第一循環流路７２１を介して、メインタンク６５に流れる。これによって、メインタンク６５、第一供給流路７１１、第二供給流路７１２Ａ、ヘッド部６７、第二循環流路７２２Ａ、及び第一循環流路７２１におけるインク６８の循環が行われる。
【０１４７】
図示しないが、第二ヘッド−タンク間循環が行われる場合、ＣＰＵ７０は、電磁弁７６１，７６３Ｂ，７６４，７６６Ｂを開き、電磁弁７６２，７６３Ａ，７６５，７６６Ａ，７６７Ａ，７６７Ｂ，７６８を閉じる。ＣＰＵ７０の制御によって、ポンプ７５１が動作する。これによって、インク６８が、メインタンク６５から吸い上げられ、第一供給流路７１１、第二供給流路７１２Ｂ、ヘッド部６７、第二循環流路７２２Ｂ、及び第一循環流路７２１を介して、メインタンク６５に流れる。これによって、メインタンク６５、第一供給流路７１１、第二供給流路７１２Ｂ、ヘッド部６７、第二循環流路７２２Ｂ、及び第一循環流路７２１におけるインク６８の循環が行われる。
【０１４８】
ヘッド−パウチ間循環を行う場合について説明する。本実施形態においては、サブパウチ８、第二供給流路７１２Ａ、ヘッド部６７、及び第二循環流路７２２Ａを介する第一ヘッド−パウチ間循環が行われる場合と、サブパウチ８、第二供給流路７１２Ｂ、ヘッド部６７、及び第二循環流路７２２Ｂを介する第二ヘッド−パウチ間循環が行われる場合とがある。
【０１４９】
図示しないが、第一ヘッド−パウチ間循環が行われる場合、ＣＰＵ７０は、電磁弁７６２，７６３Ａ，７６５，７６６Ａを開き、電磁弁７６１，７６３Ｂ，７６４，７６６Ｂ，７６７Ａ，７６７Ｂ，７６８を閉じる。第二供給流路７１２Ａ又は第二循環流路７２２Ａに、ポンプ（図示せず）を設ける。ＣＰＵ７０の制御によって、該ポンプが動作する。これによって、サブパウチ８、第二供給流路７１２Ａ、ヘッド部６７、及び第二循環流路７２２Ａにおけるインク６８の循環が行われる。
【０１５０】
図示しないが、第二ヘッド−パウチ間循環が行われる場合、ＣＰＵ７０は、電磁弁７６２，７６３Ｂ，７６５，７６６Ｂを開き、電磁弁７６１，７６３Ａ，７６４，７６６Ａ，７６７Ａ，７６７Ｂ，７６８を閉じる。第二供給流路７１２Ｂ又は第二循環流路７２２Ｂに、ポンプ（図示せず）を設ける。ＣＰＵ７０の制御によって、該ポンプが動作する。これによって、サブパウチ８、第二供給流路７１２Ｂ、ヘッド部６７、及び第二循環流路７２２Ｂにおけるインク６８の循環が行われる。
【０１５１】
パウチ−タンク間循環が行われる場合について説明する。パウチ−タンク間循環が行われる場合、ＣＰＵ７０は、電磁弁７６１，７６２，７６４，７６５を開き、電磁弁７６３Ａ，７６３Ｂ，７６６Ａ，７６６Ｂ，７６７Ａ，７６７Ｂ，７６８を閉じる。ＣＰＵ７０の制御によって、ポンプ７５１が動作する。これによって、図１０の矢印４１３と同様に、インク６８が、メインタンク６５から吸い上げられ、第一供給流路７１１、サブパウチ８、第一循環流路７２１を介して、メインタンク６５に流れる。これによって、メインタンク６５、第一供給流路７１１、サブパウチ８、及び第一循環流路７２１におけるインク６８の循環が行われる。
【０１５２】
インク６８の流速について説明する、本実施形態においては、ヘッド部６７を介するヘッド−バイパス間循環、ヘッド−タンク間循環、及びヘッド−パウチ間循環が行われる場合、パウチ−バイパス間循環、パウチ−タンク間循環、タンク−バイパス間循環（図２３参照）が行われる場合よりも、インク６８の流速が遅い「弱循環」が行われる。また、パウチ−バイパス間循環、パウチ−タンク間循環、タンク−バイパス間循環（図２３参照）が行われる場合、ヘッド−バイパス間循環、ヘッド−タンク間循環、及びヘッド−パウチ間循環が行われる場合よりもインク６８の流速が速い「強循環」が行われる。
【０１５３】
以上のように、印刷装置１Ｆにおいて、インク６８が流れる。本実施形態においては、第二供給流路７１２と、第一供給流路７１１とは、第一接続部７９１において合流する。また、第二循環流路７２２と、第一循環流路７２１とは、第二接続部７９２において合流する。このように流路が接続されているので、印刷装置１Ｆは、第一供給流路７１１、第二供給流路７１２Ａ，７１２Ｂ、第一循環流路７２１、及び第二循環流路７２２Ａ，７２２Ｂのうちの全ての流路においてインク６８の循環を行うことができる。よって、第一実施形態と同様に印刷品質が低下する可能性を低減できる。
【０１５４】
また、バイパス流路８０１Ａ，８０１Ｂにおいてインク６８の循環が行われる（図２２参照）。また、バイパス流路８１１においてインク６８の循環が行われる（図２２及び図２３参照）。このため、第一供給流路７１１、第二供給流路７１２Ａ，７１２Ｂ、第一循環流路７２１、第二循環流路７２２Ａ，７２２Ｂ、及びバイパス流路８０１Ａ，８０１Ｂ、バイパス流路８１１のうちの全ての流路においてインク６８の循環を行うことができる。第三実施形態と同様に印刷品質が低下する可能性を低減できる。
【０１５５】
また、第二供給流路７１２Ａと第二循環流路７２２Ａとを結ぶバイパス流路８０１Ａが設けられている。第二供給流路７１２Ｂと第二循環流路７２２Ｂとを結ぶバイパス流路８０１Ｂが設けられている。このため、第二供給流路７１２Ａ、バイパス流路８０１Ａ、及び第二循環流路７２２Ａを介したインク６８の循環、及び、第二供給流路７１２Ｂ、バイパス流路８０１Ｂ、及び第二循環流路７２２Ｂを介したインク６８の循環を行うことができる（図２２参照）。よって、第三実施形態と同様に印刷品質が低下する可能性を低減できる。
【０１５６】
また、第二供給流路７１２Ａには、第二供給流路７１２Ａを開閉する電磁弁７６３Ａが設けられている。第二供給流路７１２Ｂには、第二供給流路７１２Ｂを開閉する電磁弁７６３Ｂが設けられている。第二循環流路７２２Ａには、第二循環流路７２２Ａを開閉する電磁弁７６６Ａが設けられている。第二循環流路７２２Ｂには、第二循環流路７２２Ｂを開閉する電磁弁７６６Ｂが設けられている。電磁弁７６３Ａ，７６３Ｂ，７６６Ａ，６６Ｂは、メインタンク６５とサブパウチ８との少なくとも一方におけるインク６８の循環が行われる場合、本実施形態では、タンク−バイパス間循環（図２３参照）、パウチ−バイパス間循環、及びパウチ−タンク間循環が行われる場合に、第二供給流路７１２Ａ，７１２Ｂと第二循環流路７２２Ａ，７２２Ｂとを閉じる。このため、第一実施形態と同様に印刷品質が向上する。
【０１５７】
また、第一供給流路７１１には、第一供給流路７１１を開閉する電磁弁７６１が設けられている。第一循環流路７２１には、第一循環流路７２１を開閉する電磁弁７６４が設けられている。電磁弁７６１，７６４は、第二供給流路７１２と第二循環流路７２２とにおけるインク６８の循環が行われる場合に、第一供給流路７１１と第一循環流路７２１とを閉じる。このため、第三実施形態と同様に印刷品質が向上する。
【０１５８】
図２４及び図２５を参照し、第七の実施形態に係る印刷装置１である印刷装置１Ｇについて説明する。第七の実施形態において、上記実施形態と同様の構成は同じ符号で示し、詳細の説明は省略する。
【０１５９】
図２４に示すように、印刷装置１Ｇにおいては、第五の実施形態に係る印刷装置１Ｅ（図１８参照）の構成に加え、バイパス流路８３１及び電磁弁７６９が設けられている。バイパス流路８３１は、第二供給流路７１２と第二循環流路７２２とを結ぶ。電磁弁７６９は、バイパス流路８３１に設けられている。電磁弁７６９は、ＣＰＵ７０の制御によって、バイパス流路８３１を開閉する。
【０１６０】
バイパス流路８３１と第二供給流路７１２とは、第九接続部７９９において接続されている。第九接続部７９９は、電磁弁７６３とヘッド部６７との間に設けられている。より詳細には、第九接続部７９９は、第二供給流路７１２における電磁弁７６３から、ヘッド部６７に至る経路において、ヘッド部６７の直前に設けられている。
【０１６１】
バイパス流路８３１と第二循環流路７２２とは、第十接続部８００において接続されている。第十接続部８００は、電磁弁７６６とヘッド部６７との間に設けられている。より詳細には、第十接続部８００は、第二循環流路７２２における電磁弁７６６から、ヘッド部６７に至る経路において、ヘッド部６７の直前に設けられている。
【０１６２】
第二供給流路７１２、第二循環流路７２２、及びバイパス流路８３１を介する循環が行われる場合について説明する。以下の説明においては、バイパス流路８３１を介する循環を「バイパス循環」という。
【０１６３】
図２５に示すように、バイパス循環が行われる場合、ＣＰＵ７０は、電磁弁７６３，７６６，７６７，７６９を開き、電磁弁７６１，７６２，７６４，７６５，７６８を閉じる。ＣＰＵ７０の制御によって、ポンプ７５２が動作する。これによって、バイパス流路８０１、第二供給流路７１２、バイパス流路８３１、及び第二循環流路７２２におけるインク６８の循環が行われる（矢印４７１参照）。なお、バイパス流路８３１は、ヘッド部６７内の流路よりも太い。このため、インク６８はヘッド部６７側よりも、バイパス流路８３１に流れやすい。よって、ヘッド部６７ではなく、バイパス流路８０１、第二供給流路７１２、バイパス流路８３１、及び第二循環流路７２２におけるインク６８の循環が行われる
【０１６４】
バイパス循環以外のインク６８の流れについては、印刷装置１Ｅ（図１８〜図２０参照）の場合と同様であり、同様の効果を奏する。このため、詳細な説明は省略する。また、バイパス循環以外のインク６８の流れが発生する場合、電磁弁７６９は閉じられる。
【０１６５】
本実施形態においては、バイパス循環によって、ヘッド部６７側にインク６８が流れる可能性を低減しつつ、第二供給流路７１２と第二循環流路７２２とにおけるインク６８の循環を行うことができる。よって、ヘッド部６７におけるインク６８のメニスカスが破壊される可能性を低減できる。
【０１６６】
図２６及び図２７を参照し、第八の実施形態に係る印刷装置１である印刷装置１Ｈについて説明する。第八の実施形態において、上記実施形態と同様の構成は同じ符号で示し、詳細の説明は省略する。
【０１６７】
図２６に示すように、印刷装置１Ｈにおいては、第六の実施形態に係る印刷装置１Ｆ（図２１参照）の構成に加え、バイパス流路８３１、電磁弁７６９、第七接続部７９７、及び第十接続部８００が、夫々２つ設けられている。以下の説明では、２つのバイパス流路８３１のうち、一方をバイパス流路８３１Ａといい、他方をバイパス流路８３１Ｂという。２つの電磁弁７６９のうち、一方を電磁弁７６９Ａといい、他方を電磁弁７６９Ｂという。２つの第九接続部７９９のうち、一方を第九接続部７９９Ａといい、他方を第九接続部７９９Ｂという。２つの第十接続部８００のうち、一方を第十接続部８００Ａといい、他方を第十接続部８００Ｂという。
【０１６８】
バイパス流路８３１Ａは、第二供給流路７１２Ａと第二循環流路７２２Ａとを結ぶ。電磁弁７６９Ａは、バイパス流路８３１Ａに設けられている。電磁弁７６９Ａは、ＣＰＵ７０の制御によって、バイパス流路８３１Ａを開閉する。バイパス流路８３１Ａと第二供給流路７１２Ａとは、第九接続部７９９Ａにおいて接続されている。第九接続部７９９Ａは、電磁弁７６３Ａとヘッド部６７との間に設けられている。より詳細には、第九接続部７９９Ａは、第二供給流路７１２Ａにおける電磁弁７６３Ａから、ヘッド部６７に至る経路において、ヘッド部６７の直前に設けられている。
【０１６９】
バイパス流路８３１Ａと第二循環流路７２２Ａとは、第十接続部８００Ａにおいて接続されている。第十接続部８００Ａは、電磁弁７６６Ａと、ヘッド部６７との間に設けられている。より詳細には、第十接続部８００Ａは、第二供給流路７１２Ａにおける電磁弁７６６Ａから、ヘッド部６７に至る経路において、ヘッド部６７の直前に設けられている。
【０１７０】
バイパス流路８３１Ｂは、第二供給流路７１２Ｂと第二循環流路７２２Ｂとを結ぶ。電磁弁７６９Ｂは、バイパス流路８３１Ｂに設けられている。電磁弁７６９Ｂは、ＣＰＵ７０の制御によって、バイパス流路８３１Ｂを開閉する。バイパス流路８３１Ｂと第二供給流路７１２Ｂとは、第九接続部７９９Ｂにおいて接続されている。第九接続部７９９Ｂは、電磁弁７６３Ｂとヘッド部６７との間に設けられている。より詳細には、第九接続部７９９Ｂは、第二供給流路７１２Ｂにおける電磁弁７６３Ｂから、ヘッド部６７に至る経路において、ヘッド部６７の直前に設けられている。
【０１７１】
バイパス流路８３１Ｂと第二循環流路７２２Ｂとは、第十接続部８００Ｂにおいて接続されている。第十接続部８００Ｂは、電磁弁７６６Ｂとヘッド部６７との間に設けられている。より詳細には、第十接続部８００Ｂは、第二循環流路７２２Ｂにおける電磁弁７６６Ｂから、ヘッド部６７に至る経路において、ヘッド部６７の直前に設けられている。
【０１７２】
バイパス循環を行う場合について説明する。本実施形態においては、バイパス流路８３１Ａを介する第一バイパス循環が行われる場合（図２７参照）と、バイパス流路８３１Ｂを介する第二バイパス循環が行われる場合とがある。
【０１７３】
図２７に示すように、第一バイパス循環が行われる場合、ＣＰＵ７０は、電磁弁７６３Ａ，７６６Ａ，７６７Ａ，７６９Ａを開き、電磁弁７６１，７６２，７６３Ｂ，７６４，７６５，７６６Ｂ，７６７Ｂ，７６８，７６９Ｂを閉じる。ＣＰＵ７０の制御によって、ポンプ７５２Ａが動作する。これによって、バイパス流路８０１Ａ、第二供給流路７１２Ａ、バイパス流路８３１Ａ、及び第二循環流路７２２Ａにおけるインク６８の循環が行われる（矢印４８１参照）。
【０１７４】
図示しないが、第二バイパス循環が行われる場合、ＣＰＵ７０は、電磁弁７６３Ｂ，７６６Ｂ，７６７Ｂ，７６９Ｂを開き、電磁弁７６１，７６２，７６３Ａ，７６４，７６５，７６６Ａ，７６７Ａ，７６８，７６９Ｂを閉じる。ＣＰＵ７０の制御によって、ポンプ７５２Ｂが動作する。これによって、バイパス流路８０１Ｂ、第二供給流路７１２Ｂ、バイパス流路８３１Ｂ、及び第二循環流路７２２Ａにおけるインク６８の循環が行われる。
【０１７５】
バイパス循環以外のインク６８の流れについては、印刷装置１Ｆ（図２１〜図２３参照）の場合と同様であり、同様の効果を奏する。このため、詳細な説明は省略する。また、バイパス循環以外のインク６８の流れが発生する場合、電磁弁７６９Ａ，７６９Ｂは閉じられる。
【０１７６】
本実施形態においては、バイパス循環によって、ヘッド部６７側にインク６８が流れる可能性を低減しつつ、第二供給流路７１２Ａ，７１２Ｂと第二循環流路７２２Ａ，７２２Ｂとにおけるインク６８の循環を行うことができる。よって、ヘッド部６７におけるインク６８のメニスカスが破壊される可能性を低減できる。
【０１７７】
上記実施形態において、メインタンク６５は本発明の「第一収容部」の一例である。サブパウチ８は本発明の「第二収容部」の一例である。バイパス流路８１１は本発明の「第一バイパス流路」の一例である。バイパス流路８０１，８０１Ａ，８０１Ｂは本発明の「第二バイパス流路」の一例である。電磁弁７６３，７６３Ａ，７６３Ｂ，７６６，７６６Ａ，７６６Ｂは本発明の「第一開閉部」の一例である。電磁弁７６１，７６４は本発明の「第二開閉部」の一例である。
【０１７８】
なお、本発明は上記実施形態に限定されることなく、種々の変更が可能である。例えば、バイパス流路８０１，８１１とのうち、一方のみが設けられてもよい。また、サブパウチ８は袋状であったが、袋状とは異なる容器であってもよい。また、脱気モジュール６０の構成は、上記実施形態と異なる構成であってもよい。また、脱気モジュール６０が設けられなくてもよい。
【０１７９】
また、フィルタ７７１が設けられなくてもよい。残量センサ６６１，８９９が設けられなくてもよい。モータ６６２及び回転部６６３が設けられなくてもよい。また、電磁弁７６１〜７６９の少なくとも一部が設けられなくてもよい。電磁弁７６１〜７６９は、流路を開閉する開閉部であればよく、他の種類の弁でもよい。また、メインタンク６５は、印刷装置１に含まれてもよいし、印刷装置１とは別に設けられてもよい。また、インク６８の循環のうち、一部の循環方法が実施されなくてもよい。
【０１８０】
上記実施形態においては、第二供給流路７１２と第一供給流路７１１とが、第一接続部７９１において合流していた。また、第二循環流路７２２と第一循環流路７２１とが、第二接続部７９２において合流していた。しかし、第二供給流路７１２及び第二循環流路７２２の一方と、第一供給流路７１１とが、第一接続部７９１又はサブパウチ８において合流してもよい。また、第二供給流路７１２及び第二循環流路７２２との他方と、第一循環流路７２１とは、第二接続部７９２又はサブパウチ８において合流してもよい。
【０１８１】
例えば、図２８に示す印刷装置１Ｉは、印刷装置１Ｈ（図２６参照）の変形例であり、第二供給流路７１２と第一供給流路７１１とが、サブパウチ８おいて合流し、第二循環流路７２２と第一循環流路７２１とが、サブパウチ８おいて合流している。すなわち、上記実施形態における第一接続部７９１、第二接続部７９２、第一接続流路７３１、及び第二接続流路７３２が設けられていない。また、電磁弁７６２は、第一供給流路７１１と第二供給流路７１２の夫々に設けられている。また、電磁弁７６５は、第一循環流路７２１と第二循環流路７２２との夫々に設けられている。
【０１８２】
以下の説明においては、第一供給流路７１１に設けられている電磁弁７６２を電磁弁７６２Ａという場合があり、第二供給流路７１２に設けられている電磁弁７６２を電磁弁７６２Ｂという場合がある。また、第一循環流路７２１に設けられている電磁弁７６５を電磁弁７６５Ａという場合があり、第二循環流路７２２に設けられている電磁弁７６５を電磁弁７６５Ｂという場合がある。
【０１８３】
印刷装置１Ｉにおける上記構成以外は、印刷装置１Ｈ（図２６参照）と同様であるので、詳細な説明は省略する。また、インク６８の流れも、印刷装置１Ｈと同様である。なお、第一供給流路７１１においてインク６８が流れる場合、電磁弁７６２Ａが開かれる。第二供給流路７１２においてインク６８が流れる場合、電磁弁７６２Ｂが開かれる。第一循環流路７２１においてインク６８が流れる場合、電磁弁７６５Ａが開かれる、第二循環流路７２２においてインク６８が流れる場合、電磁弁７６５Ｂが開かれる。
【０１８４】
なお、図示しないが、印刷装置１Ａ〜１Ｇにおいても同様に、第二供給流路７１２と第一供給流路７１１とが、サブパウチ８おいて合流し、第二循環流路７２２と第一循環流路７２１とが、サブパウチ８おいて合流してもよい。この場合においても、上記各実施形態と同様の効果を奏する。
【０１８５】
また、図２９に示す印刷装置１Ｊは、印刷装置１Ｅ（図１８参照）の変形例であり、第二循環流路７２２と第一供給流路７１１とが、第一接続部７９１において合流し、第二供給流路７１２と第一循環流路７２１とが、第二接続部７９２において合流している。すなわち、印刷装置１Ｅにおける第二供給流路７１２と第二循環流路７２２とが入れ替わっている。ポンプ７５２は、第六接続部７９６から第五接続部７９５側にインク６８を流す。電磁弁７６７は、ポンプ７５２と第五接続部７９５との間に設けられている。
【０１８６】
図２９に示すように、印刷装置１Ｊにおいてヘッド−バイパス間が行われると、第二供給流路７１２、ヘッド部６７、第二循環流路７２２、バイパス流路８０１においてインク６８の循環が行われる（矢印４９１参照）。
【０１８７】
なお、図示しないが、印刷装置１Ａ〜１Ｄ，１Ｆ〜１Ｈにおいても同様に、第二循環流路７２２と第一供給流路７１１とが、第一接続部７９１において合流し、第二供給流路７１２と第一循環流路７２１とが、第二接続部７９２において合流してもよい。この場合においても、上記各実施形態と同様の効果を奏する。また、印刷装置１Ｉ（図２８参照）においても同様に、印刷装置１Ｉにおける第二供給流路７１２と第二循環流路７２２とが入れ替えられてもよい。この場合、第二循環流路７２２と第一供給流路７１１とが、サブパウチ８おいて合流し、第一循環流路７２１と第二供給流路７１２とが、サブパウチ８おいて合流する。
【０１８８】
なお、上記各実施形態においては、印刷装置１が有する全ての流路において、インク６８の循環が行われる。このため、一部の流路においてインク６８の循環が行われない場合に比べて、インク６８の成分の沈降によって印刷品質が低下する可能性を低減できる。
【符号の説明】
【０１８９】
１，１Ａ，１Ｂ，１Ｃ，１Ｄ，１Ｅ，１Ｆ，１Ｇ，１Ｈ，１Ｉ，１Ｊ    印刷装置
６５    メインタンク
６７    ヘッド部
６８    インク
７００    インク供給部
７１１    第一供給流路
７１２，７１２Ａ，７１２Ｂ    第二供給流路
７２１    第一循環流路
７２２，７２２Ａ，７２２Ｂ    第二循環流路
６０４，７６１，７６２，７６２Ａ，７６２Ｂ，７６３，７６３Ａ，７６３Ｂ，７６４，７６５，７６５Ａ，７６５Ｂ，７６６，７６６Ａ，７６６Ｂ，７６７，７６７Ａ，７６７Ｂ，７６８，７６９，７６９Ａ，７６９Ｂ    電磁弁
７９１    第一接続部
７９２    第二接続部
８０１，８０１Ａ，８０１Ｂ，８１１，８３１，８３１Ａ，８３１Ｂ    バイパス流路
【図１】
2018167556.tif 000003
【図２】
2018167556.tif 000004
【図３】
2018167556.tif 000005
【図４】
2018167556.tif 000006
【図５】
2018167556.tif 000007
【図６】
2018167556.tif 000008
【図７】
2018167556.tif 000009
【図８】
2018167556.tif 000010
【図９】
2018167556.tif 000011
【図１０】
2018167556.tif 000012
【図１１】
2018167556.tif 000013
【図１２】
2018167556.tif 000014
【図１３】
2018167556.tif 000015
【図１４】
2018167556.tif 000016
【図１５】
2018167556.tif 000017
【図１６】
2018167556.tif 000018
【図１７】
2018167556.tif 000019
【図１８】
2018167556.tif 000020
【図１９】
2018167556.tif 000021
【図２０】
2018167556.tif 000022
【図２１】
2018167556.tif 000023
【図２２】
2018167556.tif 000024
【図２３】
2018167556.tif 000025
【図２４】
2018167556.tif 000026
【図２５】
2018167556.tif 000027
【図２６】
2018167556.tif 000028
【図２７】
2018167556.tif 000029
【図２８】
2018167556.tif 000030
【図２９】
2018167556.tif 000031